(57)【要約】【課題】遊技者に混乱を生じさせることなく、演出効果を向上して遊技の興趣を向上することができる遊技機を提供する。【解決手段】非時短時においては、第１始動口に遊技球が入球したことを条件として実行される大当たりの抽選で「大当たり」に当選すると、遊技状態が時短、高確状態となり、時短回数、高確回数が１１回に設定される。また、非時短時において、第２始動口に遊技球が入球したことを条件として実行される大当たりの抽選で「大当たり」に当選した場合、および、時短時において「大当たり」に当選すると、遊技状態が時短、高確状態となり、時短回数が１００回、高確回数が１１回に設定される。時短、高確状態に設定されているときの大当たりの抽選結果と、非時短時において第２始動口に遊技球が入球したことを条件として実行される大当たりの抽選結果とは、同じ特殊変動パターンの変動演出によって報知される。【選択図】図３７
2014039737.tif 000002
【特許請求の範囲】
【請求項１】
互いに異なる遊技進行条件が対応付けられた複数の遊技状態の中からいずれかの遊技状態に設定され、当該設定中の遊技状態に対応する遊技進行条件に基づいて遊技が進行制御される遊技機であって、
遊技球が流下する遊技領域が設けられた遊技盤と、
前記遊技領域に設けられ遊技球が進入可能な第１始動領域および第２始動領域と、
前記第２始動領域への遊技球の進入が不可能もしくは困難な閉状態、もしくは、当該閉状態よりも前記第２始動領域への遊技球の進入が容易となる開状態に変移する始動可変入賞装置と、
遊技状態が非特定遊技状態に設定されている場合に、第１の条件にしたがって前記始動可変入賞装置を制御し、遊技状態が特定遊技状態に設定されている場合に、前記第１の条件よりも前記始動可変入賞装置が開状態になりやすい第２の条件にしたがって前記始動可変入賞装置を制御する開閉制御手段と、
前記第１始動領域または前記第２始動領域に遊技球が進入したことを条件として、遊技者に有利な特別遊技の実行を可能とする大当たり抽選結果、もしくは、当該特別遊技を実行しないとするハズレ抽選結果を抽選により導出し、遊技状態が低確率遊技状態に設定されている場合には、前記大当たり抽選結果が所定の確率で導出される低確判定条件にしたがって前記抽選を行い、遊技状態が高確率遊技状態に設定されている場合には、当該低確判定条件よりも高確率で前記大当たり抽選結果が導出される高確判定条件にしたがって抽選を行う抽選手段と、
前記抽選手段によって抽選結果が導出されると、当該抽選結果を報知するための変動演出の態様を決定する変動演出態様決定手段と、
前記変動演出態様決定手段の決定にしたがって、前記変動演出を実行制御する変動演出実行手段と、
前記抽選手段によって前記大当たり抽選結果が導出され、当該抽選結果が前記変動演出によって報知された場合に、前記特別遊技を実行する特別遊技実行手段と、
前記特別遊技の終了後の遊技状態を、前記高確率遊技状態および前記特定遊技状態に設定する遊技状態設定手段と、
前記遊技状態設定手段によって前記高確率遊技状態に設定された場合に、当該高確率遊技状態において前記大当たり抽選結果が導出されることなく、予め設定された高確回数のハズレ抽選結果が報知されると、前記低確率遊技状態に遊技状態を変更するとともに、前記遊技状態設定手段によって前記特定遊技状態に設定された場合に、当該特定遊技状態において前記大当たり抽選結果が導出されることなく、予め設定された特定回数のハズレ抽選結果が報知されると、前記非特定遊技状態に遊技状態を変更する遊技状態変更手段と、
を備え、
前記遊技状態変更手段は、
前記第２始動領域への遊技球の進入に基づいて実行された前記特別遊技の終了後に前記特定遊技状態に設定された場合、および、前記高確率遊技状態および前記特定遊技状態に設定されているときに前記第１始動領域への遊技球の進入に基づいて前記大当たり抽選結果が導出されるとともに、前記特別遊技の終了後に前記特定遊技状態に設定された場合には、第１の特定回数のハズレ抽選結果が報知されると、前記非特定遊技状態に遊技状態を変更し、
前記低確率遊技状態および前記非特定遊技状態に設定されているときに前記第１始動領域への遊技球の進入に基づいて前記大当たり抽選結果が導出されるとともに、前記特別遊技の終了後に前記特定遊技状態に設定された場合には、前記第１の特定回数よりも少ない第２の特定回数のハズレ抽選結果が報知されると、前記非特定遊技状態に遊技状態を変更し、
前記変動演出態様決定手段は、
前記高確率遊技状態および前記特定遊技状態に設定されているときに、前記第１始動領域および前記第２始動領域への遊技球の進入に基づいて前記抽選手段が導出した抽選結果を報知するための変動演出の態様と、前記低確率遊技状態および前記非特定遊技状態に設定されているときに、前記第２始動領域への遊技球の進入に基づいて前記抽選手段が導出した抽選結果を報知するための変動演出の態様と、を同一態様に決定し得ることを特徴とする遊技機。
【請求項２】
互いに異なる遊技進行条件が対応付けられた複数の遊技状態の中からいずれかの遊技状態に設定され、当該設定中の遊技状態に対応する遊技進行条件に基づいて遊技が進行制御される遊技機であって、
遊技球が流下する遊技領域が設けられた遊技盤と、
前記遊技領域に設けられ遊技球が進入可能な第１始動領域および第２始動領域と、
前記第２始動領域への遊技球の進入が不可能もしくは困難な閉状態、もしくは、当該閉状態よりも前記第２始動領域への遊技球の進入が容易となる開状態に変移する始動可変入賞装置と、
遊技状態が非特定遊技状態に設定されている場合に、第１の条件にしたがって前記始動可変入賞装置を制御し、遊技状態が特定遊技状態に設定されている場合に、前記第１の条件よりも前記始動可変入賞装置が開状態になりやすい第２の条件にしたがって前記始動可変入賞装置を制御する開閉制御手段と、
前記第１始動領域または前記第２始動領域に遊技球が進入したことを条件として、遊技者に有利な特別遊技の実行を可能とする大当たり抽選結果、もしくは、当該特別遊技を実行しないとするハズレ抽選結果を抽選により導出し、遊技状態が低確率遊技状態に設定されている場合には、前記大当たり抽選結果が所定の確率で導出される低確判定条件にしたがって前記抽選を行い、遊技状態が高確率遊技状態に設定されている場合には、当該低確判定条件よりも高確率で前記大当たり抽選結果が導出される高確判定条件にしたがって抽選を行う抽選手段と、
前記抽選手段によって抽選結果が導出されると、当該抽選結果を報知するための変動演出の態様を決定する変動演出態様決定手段と、
前記変動演出態様決定手段の決定にしたがって、前記変動演出を実行制御する変動演出実行手段と、
前記抽選手段によって前記大当たり抽選結果が導出され、当該抽選結果が前記変動演出によって報知された場合に、前記特別遊技を実行する特別遊技実行手段と、
前記特別遊技が前記第２始動領域への遊技球の進入に基づいて実行された場合、および、前記高確率遊技状態に設定されているときに、前記第１始動領域への遊技球の進入に基づいて前記特別遊技が実行された場合には、当該特別遊技の終了後の遊技状態として前記高確率遊技状態および前記特定遊技状態に設定し、前記低確率遊技状態および前記非特定遊技状態に設定されているときに、前記第１始動領域への遊技球の進入に基づいて前記特別遊技が実行された場合には、当該特別遊技の終了後の遊技状態として前記高確率遊技状態および前記非特定遊技状態に設定する遊技状態設定手段と、
を備え、
前記変動演出態様決定手段は、
前記高確率遊技状態および前記特定遊技状態に設定されているときに、前記第１始動領域および前記第２始動領域への遊技球の進入に基づいて前記抽選手段が導出した抽選結果を報知するための変動演出の態様と、前記低確率遊技状態および前記非特定遊技状態に設定されているときに、前記第２始動領域への遊技球の進入に基づいて前記抽選手段が導出した抽選結果を報知するための変動演出の態様と、を同一態様に決定し得ることを特徴とする遊技機。
【発明の詳細な説明】
【技術分野】
【０００１】
本発明は、始動領域に遊技球が進入すると大当たりの抽選が行われる遊技機に関する。
【背景技術】
【０００２】
従来、始動口に遊技球が入球すると大当たりの抽選が行われ、この大当たりの抽選により大当たりに当選すると、多量の賞球を獲得可能な特別遊技が実行可能となる遊技機が知られている。こうした遊技機においては、数字等が記された演出図柄が演出表示部において変動表示された後、最終的にハズレパターンもしくは大当たりパターンで停止表示される変動演出によって、大当たりの抽選結果を遊技者に報知するようにしている。
【０００３】
特許文献１に示される遊技機においては、所謂、固定始動口としての第１始動口と、所謂、可変始動口としての第２始動口と、を備えており、ゲートを遊技球が通過すると、第２始動口を開状態に変移させるか否かの抽選が行われる。そして、開状態に制御されている第２始動口に遊技球が入球して大当たりの抽選が行われた場合には、当該抽選結果を報知する変動演出が、通常と異なる特殊パターンで実行される。このように、遊技状態や始動口の種別等に応じて、さまざまな態様で変動演出を実行することで、演出効果の向上ならびに遊技の興趣向上が図られている。
【先行技術文献】
【特許文献】
【０００４】
【特許文献１】特開２０１２−１０８０２号公報
【発明の概要】
【発明が解決しようとする課題】
【０００５】
近年の遊技機においては、大当たりに当選した際に、遊技球が入球した始動口の種別や、大当たり当選時の遊技状態等に応じて、異なる遊技利益が遊技者に付与される場合が多々ある。通常、遊技者に付与する遊技利益の内容は、大当たりに当選したときの変動演出において報知されるが、上記のように、遊技状態や始動口の種別等に応じて、さまざまな態様で変動演出を実行することとなると、大当たり当選時に、どのような遊技利益が付与されるのかを遊技者が認識しにくくなってしまう。その結果、遊技者に混乱を生じさせてしまい、演出効果や遊技の興趣が低下してしまうおそれがある。
【０００６】
そこで、本発明は、遊技者に混乱を生じさせることなく、演出効果を向上して遊技の興趣を向上することができる遊技機を提供することを目的とする。
【課題を解決するための手段】
【０００７】
上記課題を解決するために、本発明の遊技機は、互いに異なる遊技進行条件が対応付けられた複数の遊技状態の中からいずれかの遊技状態に設定され、当該設定中の遊技状態に対応する遊技進行条件に基づいて遊技が進行制御される遊技機であって、遊技球が流下する遊技領域が設けられた遊技盤と、前記遊技領域に設けられ遊技球が進入可能な第１始動領域および第２始動領域と、前記第２始動領域への遊技球の進入が不可能もしくは困難な閉状態、もしくは、当該閉状態よりも前記第２始動領域への遊技球の進入が容易となる開状態に変移する始動可変入賞装置と、遊技状態が非特定遊技状態に設定されている場合に、第１の条件にしたがって前記始動可変入賞装置を制御し、遊技状態が特定遊技状態に設定されている場合に、前記第１の条件よりも前記始動可変入賞装置が開状態になりやすい第２の条件にしたがって前記始動可変入賞装置を制御する開閉制御手段と、前記第１始動領域または前記第２始動領域に遊技球が進入したことを条件として、遊技者に有利な特別遊技の実行を可能とする大当たり抽選結果、もしくは、当該特別遊技を実行しないとするハズレ抽選結果を抽選により導出し、遊技状態が低確率遊技状態に設定されている場合には、前記大当たり抽選結果が所定の確率で導出される低確判定条件にしたがって前記抽選を行い、遊技状態が高確率遊技状態に設定されている場合には、当該低確判定条件よりも高確率で前記大当たり抽選結果が導出される高確判定条件にしたがって抽選を行う抽選手段と、前記抽選手段によって抽選結果が導出されると、当該抽選結果を報知するための変動演出の態様を決定する変動演出態様決定手段と、前記変動演出態様決定手段の決定にしたがって、前記変動演出を実行制御する変動演出実行手段と、前記抽選手段によって前記大当たり抽選結果が導出され、当該抽選結果が前記変動演出によって報知された場合に、前記特別遊技を実行する特別遊技実行手段と、前記特別遊技の終了後の遊技状態を、前記高確率遊技状態および前記特定遊技状態に設定する遊技状態設定手段と、前記遊技状態設定手段によって前記高確率遊技状態に設定された場合に、当該高確率遊技状態において前記大当たり抽選結果が導出されることなく、予め設定された高確回数のハズレ抽選結果が報知されると、前記低確率遊技状態に遊技状態を変更するとともに、前記遊技状態設定手段によって前記特定遊技状態に設定された場合に、当該特定遊技状態において前記大当たり抽選結果が導出されることなく、予め設定された特定回数のハズレ抽選結果が報知されると、前記非特定遊技状態に遊技状態を変更する遊技状態変更手段と、を備え、前記遊技状態変更手段は、前記第２始動領域への遊技球の進入に基づいて実行された前記特別遊技の終了後に前記特定遊技状態に設定された場合、および、前記高確率遊技状態および前記特定遊技状態に設定されているときに前記第１始動領域への遊技球の進入に基づいて前記大当たり抽選結果が導出されるとともに、前記特別遊技の終了後に前記特定遊技状態に設定された場合には、第１の特定回数のハズレ抽選結果が報知されると、前記非特定遊技状態に遊技状態を変更し、前記低確率遊技状態および前記非特定遊技状態に設定されているときに前記第１始動領域への遊技球の進入に基づいて前記大当たり抽選結果が導出されるとともに、前記特別遊技の終了後に前記特定遊技状態に設定された場合には、前記第１の特定回数よりも少ない第２の特定回数のハズレ抽選結果が報知されると、前記非特定遊技状態に遊技状態を変更し、前記変動演出態様決定手段は、前記高確率遊技状態および前記特定遊技状態に設定されているときに、前記第１始動領域および前記第２始動領域への遊技球の進入に基づいて前記抽選手段が導出した抽選結果を報知するための変動演出の態様と、前記低確率遊技状態および前記非特定遊技状態に設定されているときに、前記第２始動領域への遊技球の進入に基づいて前記抽選手段が導出した抽選結果を報知するための変動演出の態様と、を同一態様に決定し得ることを特徴とする。
【０００８】
また、本発明の遊技機は、互いに異なる遊技進行条件が対応付けられた複数の遊技状態の中からいずれかの遊技状態に設定され、当該設定中の遊技状態に対応する遊技進行条件に基づいて遊技が進行制御される遊技機であって、遊技球が流下する遊技領域が設けられた遊技盤と、前記遊技領域に設けられ遊技球が進入可能な第１始動領域および第２始動領域と、前記第２始動領域への遊技球の進入が不可能もしくは困難な閉状態、もしくは、当該閉状態よりも前記第２始動領域への遊技球の進入が容易となる開状態に変移する始動可変入賞装置と、遊技状態が非特定遊技状態に設定されている場合に、第１の条件にしたがって前記始動可変入賞装置を制御し、遊技状態が特定遊技状態に設定されている場合に、前記第１の条件よりも前記始動可変入賞装置が開状態になりやすい第２の条件にしたがって前記始動可変入賞装置を制御する開閉制御手段と、前記第１始動領域または前記第２始動領域に遊技球が進入したことを条件として、遊技者に有利な特別遊技の実行を可能とする大当たり抽選結果、もしくは、当該特別遊技を実行しないとするハズレ抽選結果を抽選により導出し、遊技状態が低確率遊技状態に設定されている場合には、前記大当たり抽選結果が所定の確率で導出される低確判定条件にしたがって前記抽選を行い、遊技状態が高確率遊技状態に設定されている場合には、当該低確判定条件よりも高確率で前記大当たり抽選結果が導出される高確判定条件にしたがって抽選を行う抽選手段と、
前記抽選手段によって抽選結果が導出されると、当該抽選結果を報知するための変動演出の態様を決定する変動演出態様決定手段と、前記変動演出態様決定手段の決定にしたがって、前記変動演出を実行制御する変動演出実行手段と、前記抽選手段によって前記大当たり抽選結果が導出され、当該抽選結果が前記変動演出によって報知された場合に、前記特別遊技を実行する特別遊技実行手段と、前記特別遊技が前記第２始動領域への遊技球の進入に基づいて実行された場合、および、前記高確率遊技状態に設定されているときに、前記第１始動領域への遊技球の進入に基づいて前記特別遊技が実行された場合には、当該特別遊技の終了後の遊技状態として前記高確率遊技状態および前記特定遊技状態に設定し、前記低確率遊技状態および前記非特定遊技状態に設定されているときに、前記第１始動領域への遊技球の進入に基づいて前記特別遊技が実行された場合には、当該特別遊技の終了後の遊技状態として前記高確率遊技状態および前記非特定遊技状態に設定する遊技状態設定手段と、を備え、前記変動演出態様決定手段は、前記高確率遊技状態および前記特定遊技状態に設定されているときに、前記第１始動領域および前記第２始動領域への遊技球の進入に基づいて前記抽選手段が導出した抽選結果を報知するための変動演出の態様と、前記低確率遊技状態および前記非特定遊技状態に設定されているときに、前記第２始動領域への遊技球の進入に基づいて前記抽選手段が導出した抽選結果を報知するための変動演出の態様と、を同一態様に決定し得ることを特徴とする。
【発明の効果】
【０００９】
本発明によれば、遊技者に混乱を生じさせることなく、演出効果を向上して遊技の興趣を向上することができる。
【図面の簡単な説明】
【００１０】
【図１】扉が開放された状態を示す遊技機の斜視図である。
【図２】遊技機の正面図である。
【図３】遊技機のブロック図である。
【図４】大当たり決定乱数判定テーブルを説明する図である。
【図５】当たり図柄決定乱数判定テーブルを説明する図である。
【図６】リーチグループ決定乱数判定テーブルを説明する図である。
【図７】ハズレ時リーチモードＡ決定乱数判定テーブルを説明する図である。
【図８】大当たり時リーチモードＡ決定乱数判定テーブルを説明する図である。
【図９】変動パターン抽選テーブルを説明する図である。
【図１０】変動時間決定テーブルを説明する図である。
【図１１】変動演出パターンの決定方法を説明する図である。
【図１２】特別電動役物作動テーブルを説明する図である。
【図１３】遊技状態設定テーブルを説明する図である。
【図１４】当たり決定乱数判定テーブルを説明する図である。
【図１５】（ａ）は普通図柄変動パターン決定テーブルを説明する図であり、（ｂ）は第２始動口開放制御テーブルを説明する図である。
【図１６】主制御基板におけるメイン処理を示す図である。
【図１７】主制御基板におけるタイマ割込処理を示す図である。
【図１８】主制御基板における入力制御処理を示す図である。
【図１９】主制御基板における第１始動口検出スイッチ入力処理を示す図である。
【図２０】主制御基板における第２始動口検出スイッチ入力処理を示す図である。
【図２１】主制御基板におけるゲート検出スイッチ入力処理を示す図である。
【図２２】主制御基板における特図特電処理を示す図である。
【図２３】主制御基板における特別図柄変動開始処理を示す図である。
【図２４】主制御基板における変動演出パターン決定処理を示す図である。
【図２５】主制御基板における特別図柄変動停止処理を説明する図である。
【図２６】主制御基板における停止後処理を示す図である。
【図２７】主制御基板における特別電動役物制御処理を示す図である。
【図２８】主制御基板における特別遊技終了処理を示す図である。
【図２９】主制御基板における普図普電処理を示す図である。
【図３０】主制御基板における普通図柄変動開始処理を示す図である。
【図３１】主制御基板における普通図柄変動停止処理を示す図である。
【図３２】主制御基板における普通図柄停止後処理を示す図である。
【図３３】主制御基板における普通電動役物制御処理を示す図である。
【図３４】リーチなし変動パターンの変動演出の一例を説明する図である。
【図３５】リーチ変動パターンの変動演出の一例を説明する図である。
【図３６】特殊変動パターンの変動演出の一例を説明する図である。
【図３７】特別遊技の終了後に設定される時短回数および高確回数を説明する図である。
【図３８】（ａ）は前半変動演出決定テーブルを説明する図であり、（ｂ）は後半変動演出決定テーブルを説明する図である。
【図３９】主制御基板で決定される変動モード番号および変動パターン番号と、副制御基板で決定される変動演出の態様との対応関係を説明する図である。
【図４０】副制御基板におけるメイン処理を示す図である。
【図４１】副制御基板におけるタイマ割込処理を示す図である。
【図４２】副制御基板における変動モードコマンド受信処理を示す図である。
【図４３】副制御基板における変動パターンコマンド受信処理を示す図である。
【発明を実施するための形態】
【００１１】
以下に添付図面を参照しながら、本発明の好適な実施形態について詳細に説明する。かかる実施形態に示す寸法、材料、その他具体的な数値等は、発明の理解を容易とするための例示にすぎず、特に断る場合を除き、本発明を限定するものではない。なお、本明細書及び図面において、実質的に同一の機能、構成を有する要素については、同一の符号を付することにより重複説明を省略し、また本発明に直接関係のない要素は図示を省略する。
【００１２】
本発明の実施形態の理解を容易にするため、まず、遊技機の機械的構成および電気的構成を簡単に説明し、その後、各基板における具体的な処理を説明する。
【００１３】
図１は、本実施形態の遊技機１の斜視図であり、扉が開放された状態を示している。図示のように、遊技機１は、略矩形状に組まれた四辺によって囲繞空間が形成される外枠２と、この外枠２にヒンジ機構によって開閉自在に取り付けられた中枠４と、この中枠４に、ヒンジ機構によって開閉自在に取り付けられた前枠６と、を備えている。
【００１４】
中枠４は、外枠２と同様に、略矩形状に組まれた四辺によって囲繞空間が形成されており、この囲繞空間に遊技盤８が保持されている。また、前枠６には、ガラス製または樹脂製の透過板１０が保持されている。そして、これら中枠４および前枠６を外枠２に対して閉じると、遊技盤８と透過板１０とが所定の間隔を維持して略平行に対面するとともに、遊技機１の正面側から、透過板１０を介して遊技盤８が視認可能となる。
【００１５】
図２は、遊技機１の正面図である。この図に示すように、前枠６の下部には、遊技機１の正面側に突出する操作ハンドル１２が設けられている。この操作ハンドル１２は、遊技者が回転操作可能に設けられており、遊技者が操作ハンドル１２を回転させて発射操作を行うと、当該操作ハンドル１２の回転角度に応じた強度で、不図示の発射機構によって遊技球が発射される。このようにして発射された遊技球は、遊技盤８に設けられたレール１４ａ、１４ｂ間を上昇して遊技領域１６に導かれることとなる。
【００１６】
遊技領域１６は、遊技盤８と透過板１０との間隔に形成される空間であって、遊技球が流下または転動可能な領域である。遊技盤８には、多数の釘や風車が設けられており、遊技領域１６に導かれた遊技球が釘や風車に衝突して、不規則な方向に流下、転動するようにしている。
【００１７】
遊技領域１６は、発射機構の発射強度に応じて遊技球の進入度合いを互いに異にする第１遊技領域１６ａおよび第２遊技領域１６ｂを備えている。第１遊技領域１６ａは、遊技機１に正対した遊技者から見て遊技領域１６の左側に位置し、第２遊技領域１６ｂは、遊技機１に正対した遊技者から見て遊技領域１６の右側に位置している。レール１４ａ、１４ｂが遊技領域１６の左側にあることから、発射機構によって所定の強度未満の発射強度で発射された遊技球は第１遊技領域１６ａに進入し、所定の強度以上の発射強度で発射された遊技球は第２遊技領域１６ｂに進入することとなる。
【００１８】
また、遊技領域１６には、遊技球が入球可能な一般入賞口１８、第１始動口２０（始動領域）、第２始動口２２（始動領域）が設けられており、これら一般入賞口１８、第１始動口２０、第２始動口２２に遊技球が入球すると、それぞれ所定の賞球が遊技者に払い出される。
【００１９】
なお、詳しくは後述するが、第１始動口２０または第２始動口２２に遊技球が入球すると、予め設けられた複数の特別図柄の中からいずれか１の特別図柄を決定するための抽選が行われる。各特別図柄には、遊技者にとって有利な特別遊技の実行可否や、以後の遊技状態をどのような遊技状態にするかといった種々の遊技利益が対応付けられている。したがって、遊技者は、第１始動口２０または第２始動口２２に遊技球が入球すると、所定の賞球を獲得するのと同時に、種々の遊技利益を受ける権利獲得の機会を獲得することとなる。
【００２０】
また、第２始動口２２には、可動片２２ｂが開閉可能に設けられており、この可動片２２ｂの状態に応じて、第２始動口２２への遊技球の進入容易性が変化するようになっている。具体的には、第２始動口２２が閉状態にあるときには、第２始動口２２への遊技球の入球が不可能もしくは困難となっている。これに対して、遊技領域１６に設けられたゲート２４を遊技球が通過すると、後述する普通図柄の抽選が行われ、この抽選によって当たりに当選すると、可動片２２ｂが所定時間、開状態に制御される。このように、可動片２２ｂが開状態になると、当該可動片２２ｂが遊技球を第２始動口２２に導く受け皿として機能し、第２始動口２２への遊技球の入球が容易となる。
【００２１】
さらに、第１始動口２０および第２始動口２２よりも下方にはアタッカー装置２６が設けられている。このアタッカー装置２６は、遊技球が入球可能な大入賞口２８と、この大入賞口２８を開閉する開閉扉２８ｂと、を備えており、通常、開閉扉２８ｂが大入賞口２８を閉扉して、大入賞口２８への遊技球の入球が不可能となっている。これに対して、前述の特別遊技が実行されると、開閉扉２８ｂが開扉して、大入賞口２８への遊技球の入球が可能となる。そして、大入賞口２８に遊技球が入球すると、所定の賞球が遊技者に払い出される。
【００２２】
なお、遊技領域１６の最下部には、一般入賞口１８、第１始動口２０、第２始動口２２、大入賞口２８のいずれにも入球しなかった遊技球を、遊技領域１６から遊技盤８の背面側に排出する排出口３０が設けられている。
【００２３】
ここで、第１始動口２０は、遊技領域１６の下方寄りであって幅方向の中央に位置しており、第１遊技領域１６ａを流下する遊技球のみが入球可能であって、第２遊技領域１６ｂを流下する遊技球は入球不可能となっている。一方で、第２始動口２２は、第２遊技領域１６ｂに位置しており、第２遊技領域１６ｂを流下する遊技球のみが入球可能であって、第１遊技領域１６ａを流下する遊技球は入球不可能となっている。
【００２４】
ただし、第１始動口２０には、第２遊技領域１６ｂを流下する遊技球が入球してもよく、また、第２始動口２２には、第１遊技領域１６ａを流下する遊技球が入球してもよい。したがって、第１始動口２０や第２始動口２２の配置は一例にすぎず、具体的な盤面構成は特に限定されるものではない。
【００２５】
そして、遊技盤８には、遊技の進行中等に演出を行う演出装置として、液晶表示装置からなる演出表示装置５０と、可動装置からなる演出役物装置５２とが設けられている。演出表示装置５０は、画像を表示する演出表示部５０ａを備えており、この演出表示部５０ａを、遊技盤８の略中央部分において、遊技機１の正面側から視認可能に配置している。この演出表示部５０ａには、図示のように演出図柄４０ａ、４０ｂ、４０ｃが変動表示され、これら各演出図柄４０ａ、４０ｂ、４０ｃの停止表示態様によって大当たりの抽選結果が遊技者に報知されることとなる。
【００２６】
また、演出表示部５０ａよりも前面には、演出役物装置５２が設けられている。この演出役物装置５２は、通常、遊技盤８の背面側に退避しているが、上記の演出図柄４０ａ、４０ｂ、４０ｃの変動表示中などに、演出表示部５０ａの前面まで可動して、遊技者に大当たりの期待感を付与するものである。
【００２７】
また、遊技盤８には、点灯態様や発光色をさまざまに制御して演出を行うためのランプからなる演出照明装置５４が設けられている。さらに、遊技機１の幅方向略中央位置であって、かつ、透過板１０よりも下方位置には、遊技者の押下操作を受け付けるボタンからなる演出操作装置５６が設けられている。そして、前枠６の上部位置や外枠２の最下部位置には、遊技機１の正面側に向けられたスピーカからなる音声出力装置５８が設けられている。
【００２８】
なお、図中符号７０は、遊技機１から払い出される賞球や、遊技球貸出装置から貸し出される遊技球が導かれる上皿であり、この上皿７０が遊技球で一杯になると、遊技球は下皿７２に導かれることとなる。また、この下皿７２の底面には、当該下皿７２から遊技球を排出するための球抜き孔（不図示）が形成されている。この球抜き孔は、通常、開閉板（不図示）によって閉じられているが、球抜きつまみ７２ａを図中左右方向にスライドさせることにより、当該球抜きつまみ７２ａと一体となって開閉板がスライドし、球抜き孔から下皿７２の下方に遊技球を排出することが可能となっている。
【００２９】
また、遊技盤８には、遊技領域１６の外方であって、かつ、遊技者が視認可能な位置に、第１特別図柄表示器８０、第２特別図柄表示器８２、第１特別図柄保留表示器８４、第２特別図柄保留表示器８６、普通図柄表示器８８、普通図柄保留表示器９０が設けられている。これら各表示器８０〜９０は、遊技に係る種々の状況を表示するための装置であるが、その詳細については後述する。
【００３０】
（制御手段の内部構成）
図３は、遊技の進行を制御する制御手段の内部構成を示すブロック図である。
【００３１】
主制御基板１００は遊技の基本動作を制御する。この主制御基板１００は、メインＣＰＵ１００ａ、メインＲＯＭ１００ｂ、メインＲＡＭ１００ｃを備えている。メインＣＰＵ１００ａは、各検出スイッチやタイマからの入力信号に基づいて、メインＲＯＭ１００ｂに格納されたプログラムを読み出して演算処理を行うとともに、各装置や表示器を直接制御したり、あるいは演算処理の結果に応じて他の基板にコマンドを送信したりする。メインＲＡＭ１００ｃは、メインＣＰＵ１００ａの演算処理時におけるデータのワークエリアとして機能する。
【００３２】
上記主制御基板１００には、一般入賞口１８に遊技球が入球したことを検出する一般入賞口検出スイッチ１８ａ、第１始動口２０に遊技球が入球したことを検出する第１始動口検出スイッチ２０ａ、第２始動口２２に遊技球が入球したことを検出する第２始動口検出スイッチ２２ａ、ゲート２４を遊技球が通過したことを検出するゲート検出スイッチ２４ａ、大入賞口２８に遊技球が入球したことを検出する大入賞口検出スイッチ２８ａが接続されており、これら各検出スイッチから主制御基板１００に検出信号が入力されるようになっている。
【００３３】
また、主制御基板１００には、第２始動口２２の可動片２２ｂを作動する始動口開閉ソレノイド２２ｃと、大入賞口２８を開閉する開閉扉２８ｂを作動する大入賞口開閉ソレノイド２８ｃと、が接続されており、主制御基板１００によって、第２始動口２２および大入賞口２８の開閉制御がなされるようになっている。
【００３４】
さらに、主制御基板１００には、第１特別図柄表示器８０、第２特別図柄表示器８２、第１特別図柄保留表示器８４、第２特別図柄保留表示器８６、普通図柄表示器８８、普通図柄保留表示器９０が接続されており、主制御基板１００によって、これら各表示器の表示制御がなされるようになっている。
【００３５】
また、本実施形態の遊技機１は、主に第１始動口２０または第２始動口２２への遊技球の入球によって開始される特別図柄遊技と、ゲート２４を遊技球が通過することによって開始される普通図柄遊技とに大別される。そして、主制御基板１００のメインＲＯＭ１００ｂには、特別図柄遊技および普通図柄遊技を進行するための種々のプログラムや、各種の遊技に必要なデータ、テーブルが記憶されている。
【００３６】
また、主制御基板１００には、払出制御基板１２０および副制御基板２００が接続されている。
【００３７】
払出制御基板１２０は、遊技球を発射させるための制御、および、賞球を払い出すための制御を行う。この払出制御基板１２０も、ＣＰＵ、ＲＯＭ、ＲＡＭを備えており、主制御基板１００に対して双方向に通信可能に接続されている。この払出制御基板１２０には遊技情報出力端子板１１０が接続されており、主制御基板１００から出力される遊技進行上の種々の情報が、払出制御基板１２０および遊技情報出力端子板１１０を介して、遊技店のホールコンピュータ等に出力されることとなる。
【００３８】
また、払出制御基板１２０には、貯留部に貯留された遊技球を賞球として遊技者に払い出すための払出モータ１２１が接続されている。払出制御基板１２０は、主制御基板１００から送信された払出個数指定コマンドに基づいて払出モータ１２１を制御して所定の賞球を遊技者に払い出すように制御する。このとき、払い出された遊技球数が払出球計数スイッチ１２２によって検出され、払い出すべき賞球が遊技者に払い出されたかが把握されるようになっている。
【００３９】
また、払出制御基板１２０には、下皿７２の満タン状態を検出する皿満タン検出スイッチ１２３が接続されている。この皿満タン検出スイッチ１２３は、賞球として払い出される遊技球を下皿７２に導く通路に設けられており、当該通路を遊技球が通過するたびに、遊技球検出信号が払出制御基板１２０に入力されるようになっている。
【００４０】
そして、下皿７２に所定量以上の遊技球が貯留されて満タン状態になると、下皿７２に向かう通路内に遊技球が滞留し、皿満タン検出スイッチ１２３から払出制御基板１２０に向けて、遊技球検出信号が連続的に入力される。払出制御基板１２０は、遊技球検出信号が所定時間連続して入力された場合に、下皿７２が満タン状態であると判断し、皿満タンコマンドを主制御基板１００に送信する。一方、皿満タンコマンドを送信した後、遊技球検出信号の連続入力が途絶えた場合には、満タン状態が解除されたと判断し、皿満タン解除コマンドを主制御基板１００に送信する。
【００４１】
また、払出制御基板１２０には、発射制御基板１３０が双方向に通信可能に接続されている。この発射制御基板１３０は、払出制御基板１２０から発射制御データを受信すると発射の許可を行う。この発射制御基板１３０には、操作ハンドル１２に設けられ、当該操作ハンドル１２に遊技者が触れたことを検出するタッチセンサ１２ａと、操作ハンドル１２の操作角度を検出する操作ボリューム１２ｂと、が接続されている。そして、タッチセンサ１２ａおよび操作ボリューム１２ｂから信号が入力されると、発射制御基板１３０において、遊技球発射装置に設けられた発射用ソレノイド１３１を通電して遊技球を発射させる制御がなされる。
【００４２】
副制御基板２００は、主に遊技中や待機中等の各演出を制御する。この副制御基板２００は、サブＣＰＵ２００ａ、サブＲＯＭ２００ｂ、サブＲＡＭ２００ｃを備えており、主制御基板１００に対して、当該主制御基板１００から副制御基板２００への一方向に通信可能に接続されている。サブＣＰＵ２００ａは、主制御基板１００から送信されたコマンドやタイマからの入力信号等に基づいて、サブＲＯＭ２００ｂに格納されたプログラムを読み出して演算処理を行うとともに、演出を実行するためのコマンドを、画像制御基板２１０または電飾制御基板２２０に送信する。このとき、サブＲＡＭ２００ｃは、サブＣＰＵ２００ａの演算処理時におけるデータのワークエリアとして機能する。
【００４３】
画像制御基板２１０は、上記演出表示部５０ａに画像を表示させる画像表示制御を行うものであり、ＣＰＵ、ＲＯＭ、ＲＡＭ、ＶＲＡＭを備えている。この画像制御基板２１０のＲＯＭには、演出表示部５０ａに表示される図柄や背景等の画像データが多数格納されており、副制御基板２００から送信されたコマンドに基づいて、ＣＰＵが、画像データをＲＯＭからＶＲＡＭに読み出して、演出表示部５０ａの画像表示を制御する。
【００４４】
電飾制御基板２２０は、副制御基板２００から送信されたコマンドに基づいて、音声出力装置５８から音声を出力させる音声出力制御を行う。また、電飾制御基板２２０は、副制御基板２００から送信されるコマンドに基づいて、演出役物装置５２を可動したり演出照明装置５４を点灯制御したりする。さらには、演出操作装置５６が押下操作されたことを検出する演出操作装置検出スイッチ５６ａから操作検出信号が入力された際に、所定のコマンドを副制御基板２００に送信する。
【００４５】
なお、各基板には、不図示の電源基板が接続されている。この電源基板は、コンデンサからなるバックアップ電源を備えており、遊技機に供給する電源電圧を監視し、電源電圧が所定値以下となったときに、電断検知信号を主制御基板１００に出力する。
【００４６】
次に、本実施形態の遊技機１における遊技について、メインＲＯＭ１００ｂに記憶されている各種テーブルを参照しながら説明する。
【００４７】
前述したように、本実施形態の遊技機１は、特別図柄遊技と普通図柄遊技の２種類の遊技が並行して進行するものであり、これら両遊技を進行する際の遊技状態として、低確率遊技状態または高確率遊技状態のいずれかの遊技状態と、非時短遊技状態（非特定遊技状態）または時短遊技状態（特定遊技状態）のいずれかの遊技状態と、が組み合わされたいずれかの遊技状態にて遊技が進行する。
【００４８】
各遊技状態の詳細については後述するが、低確率遊技状態というのは、大入賞口２８が開放される特別遊技を実行する権利獲得の確率が低く設定された遊技状態であり、高確率遊技状態というのは、特別遊技を実行する権利獲得の確率が高く設定された遊技状態である。
【００４９】
また、非時短遊技状態というのは、可動片２２ｂが開状態になりにくく、第２始動口２２に遊技球が入球しにくい遊技状態であり、時短遊技状態というのは、非時短遊技状態よりも可動片２２ｂが開状態になりやすく、第２始動口２２に遊技球が入球しやすい遊技状態である。
【００５０】
遊技者が操作ハンドル１２を操作して遊技領域１６に遊技球を発射させるとともに、遊技領域１６を流下する遊技球が第１始動口２０または第２始動口２２に入球すると、遊技者に遊技利益を付与するか否かの抽選（以下、「大当たりの抽選」という）が行われる。この大当たりの抽選において、大当たりに当選すると、大入賞口２８が開放されるとともに当該大入賞口２８への遊技球の入球が可能となる特別遊技が実行され、また、当該特別遊技の終了後の遊技状態が、上記のいずれかの遊技状態に設定される。以下では、大当たりの抽選方法について説明する。
【００５１】
なお、詳しくは後述するが、第１始動口２０または第２始動口２２に遊技球が入球すると、大当たりの抽選に係る種々の乱数値（大当たり決定乱数、当たり図柄乱数、リーチグループ決定乱数、リーチモードＡ決定乱数、変動パターン乱数）が取得されるとともに、これら各乱数値がメインＲＡＭ１００ｃの保留記憶領域に記憶される。以下では、第１始動口２０に遊技球が入球して保留記憶領域に記憶された種々の乱数を総称して特１保留とよび、第２始動口２２に遊技球が入球して保留記憶領域に記憶された種々の乱数を総称して特２保留とよぶ。
【００５２】
この保留記憶領域は、８つの記憶部（第１〜第８記憶部）を有している。そして、第１始動口２０に遊技球が入球すると、特１保留を保留記憶領域の第１記憶部から順に記憶し、第２始動口２２に遊技球が入球すると、特２保留を保留記憶領域の第１記憶部から順に記憶する。例えば、第１始動口２０に遊技球が入球したとき、保留記憶領域の第１〜第８記憶部のいずれにも保留が記憶されていない場合には、第１記憶部に特１保留を記憶する。また、例えば、第１記憶部〜第３記憶部に特１保留または特２保留が記憶されている状態で、第１始動口２０に遊技球が入球した場合には、特１保留を第４記憶部に記憶する。なお、第２始動口２２に遊技球が入球した場合にも、上記と同様に、第１記憶部〜第８記憶部の中で、特１保留および特２保留が記憶されていない、最も番号（序数）の小さい記憶部に特２保留が記憶される。
【００５３】
ただし、保留記憶領域に記憶可能な特１保留数（Ｘ１）および特２保留数（Ｘ２）は、それぞれ４つに設定されている。したがって、例えば、第１始動口２０に遊技球が入球したときに、保留記憶領域に既に４つの特１保留が記憶されている場合には、当該第１始動口２０への遊技球の入球によって新たに特１保留が記憶されることはない。同様に、第２始動口２２に遊技球が入球したときに、保留記憶領域に既に４つの特２保留が記憶されている場合には、当該第２始動口２２への遊技球の入球によって新たに特２保留が記憶されることはない。
【００５４】
図４は、大当たり決定乱数判定テーブルを説明する図である。第１始動口２０または第２始動口２２に遊技球が入球すると、０〜６５５３５の範囲内から１つの大当たり決定乱数が取得される。そして、大当たりの抽選を開始するとき、すなわち、大当たりの判定を行うときの遊技状態に応じて大当たり決定乱数判定テーブルが選択され、当該選択された大当たり決定乱数判定テーブルと取得された大当たり決定乱数とによって大当たりの抽選が行われる。
【００５５】
低確率遊技状態において、特１保留および特２保留について大当たりの抽選を開始する場合には、図４（ａ）に示す大当たり決定乱数判定テーブル１が参照される。この大当たり決定乱数判定テーブル１によれば、大当たり決定乱数が１０００１〜１０６５５であった場合に大当たりと判定し、その他の大当たり決定乱数であった場合にはハズレと判定する。したがって、この場合の大当たり確率は約１／１００となる。
【００５６】
また、高確率遊技状態において、特１保留および特２保留について大当たりの抽選を開始する場合には、図４（ｂ）に示す大当たり決定乱数判定テーブル２が参照される。この大当たり決定乱数判定テーブル２によれば、大当たり決定乱数が１０００１〜１３３００であった場合に大当たりと判定し、その他の大当たり決定乱数であった場合にはハズレと判定する。したがって、この場合の大当たり確率は約１／１９．８となる。このように、高確率遊技状態である場合には、低確率遊技状態である場合に比べて、大当たり確率が約５倍となる。
【００５７】
図５は、当たり図柄決定乱数判定テーブルを説明する図である。第１始動口２０または第２始動口２２に遊技球が入球すると、０〜９９の範囲内から１つの当たり図柄乱数が取得される。そして、上記の大当たりの抽選により「大当たり」の判定結果が導出された場合に、取得している当たり図柄乱数と当たり図柄決定乱数判定テーブルとによって、特別図柄の種別が決定される。このとき、特１保留によって「大当たり」に当選した場合には、図５（ａ）に示す当たり図柄決定乱数判定テーブル１が選択され、特２保留によって「大当たり」に当選した場合には、図５（ｂ）に示す当たり図柄決定乱数判定テーブル２が選択される。以下では、当たり図柄乱数によって決定される特別図柄、すなわち、大当たりの判定結果が得られた場合に決定される特別図柄を大当たり図柄とよび、ハズレの判定結果が得られた場合に決定される特別図柄をハズレ図柄とよぶ。
【００５８】
図５（ａ）に示す当たり図柄決定乱数判定テーブル１によれば、図示のとおり、０〜９９の各当たり図柄乱数に特別図柄Ａが対応付けられており、図５（ｂ）に示す当たり図柄決定乱数判定テーブル２によれば、図示のとおり、０〜９９の各当たり図柄乱数に特別図柄Ｂが対応付けられている。なお、ここでは、当たり図柄決定乱数判定テーブル１、２において、それぞれ１種類の大当たり図柄のみが決定されることとしたが、各テーブルにおいて２種類以上の大当たり図柄が決定されるようにしてもよい。
【００５９】
また、大当たりの抽選結果が「ハズレ」であった場合に、当該抽選結果が特１保留によって導出されたときは、抽選を行うことなくハズレ図柄として特別図柄Ｘが決定され、当該抽選結果が特２保留によって導出されたときは、抽選を行うことなくハズレ図柄として特別図柄Ｙが決定される。つまり、当たり図柄決定乱数判定テーブルは、大当たりの抽選結果が「大当たり」であった場合にのみ参照され、大当たりの抽選結果が「ハズレ」であった場合に参照されることはない。
【００６０】
図６は、リーチグループ決定乱数判定テーブルを説明する図である。このリーチグループ決定乱数判定テーブルは、始動口の種別ごとに、また、遊技状態ごとに設けられている。ここでは、通常遊技状態（低確率遊技状態および非時短遊技状態）用のテーブルと、高確率遊技状態であって、かつ、時短遊技状態用のテーブルと、低確率遊技状態であって、かつ、時短遊技状態用のテーブルについて説明する。
【００６１】
第１始動口２０または第２始動口２２に遊技球が入球すると、０〜１０００６の範囲内から１つのリーチグループ決定乱数が取得される。上記のように、大当たりの抽選結果が導出されると、当該大当たりの抽選結果を報知する変動演出パターンを決定する処理が行われる。本実施形態では、大当たりの抽選結果が「ハズレ」であった場合に、変動演出パターンを決定するにあたって、まず、リーチグループ決定乱数とリーチグループ決定乱数判定テーブルとによってグループ種別が決定される。
【００６２】
そして、通常遊技状態に設定されているときに特１保留に基づいて、大当たりの抽選結果として「ハズレ」が導出されるとともに、大当たりの抽選を行うときの特１保留の合計数（以下、単に「保留数」という）が０〜２個であった場合には、図６（ａ）に示すリーチグループ決定乱数判定テーブル１が選択される。このリーチグループ決定乱数判定テーブル１によれば、リーチグループ決定乱数が０〜６９９９であれば「グループ２」が決定され、リーチグループ決定乱数が７０００〜８９９９であれば「グループ３」が決定され、リーチグループ決定乱数が９０００〜９７９９であれば「グループ４」が決定され、リーチグループ決定乱数が９８００〜１０００６であれば「グループ５」が決定される。
【００６３】
また、通常遊技状態において、大当たりの抽選結果として「ハズレ」が導出されたときに、保留数が３または４個であった場合には、図６（ｂ）に示すリーチグループ決定乱数判定テーブル２が選択され、保留数が５〜７個であった場合には、図６（ｃ）に示すリーチグループ決定乱数判定テーブル３が選択される。これらリーチグループ決定乱数判定テーブル２、３によれば、リーチグループ決定乱数に応じて、図示のとおりにグループ種別が決定されることとなる。
【００６４】
一方、通常遊技状態に設定されているときに特２保留に基づいて、大当たりの抽選結果として「ハズレ」が導出された場合には、保留数とは無関係に、図６（ｄ）に示すリーチグループ決定乱数判定テーブル４が選択される。このリーチグループ決定乱数判定テーブル４によれば、リーチグループ決定乱数が０〜１０００６のいずれの値であっても、必ず、「グループ１０」が決定される。
【００６５】
また、高確率遊技状態であって、かつ、時短遊技状態に設定されているときに特１保留および特２保留に基づいて、大当たりの抽選結果として「ハズレ」が導出された場合には、保留数とは無関係に、図６（ｅ）に示すリーチグループ決定乱数判定テーブル５が選択される。このリーチグループ決定乱数判定テーブル５によれば、リーチグループ決定乱数が０〜１０００６のいずれの値であっても、必ず、「グループ１０」が決定される。
【００６６】
さらに、低確率遊技状態であって、かつ、時短遊技状態に設定されているときに特１保留および特２保留に基づいて、大当たりの抽選結果として「ハズレ」が導出された場合には、保留数とは無関係に、図６（ｆ）に示すリーチグループ決定乱数判定テーブル６が選択される。このリーチグループ決定乱数判定テーブル６によれば、リーチグループ決定乱数が０〜１０００６のいずれの値であっても、必ず、「グループ１１」が決定される。
【００６７】
このことからも明らかなように、本実施形態では、通常遊技状態において特２保留に基づいて「ハズレ」の抽選結果が導出された場合と、高確率遊技状態であって、かつ、時短遊技状態において、特１保留および特２保留に基づいて「ハズレ」の抽選結果が導出された場合とで、同一のグループ種別が決定されることとなる。
【００６８】
なお、大当たりの抽選結果が「大当たり」であった場合には、変動演出パターンを決定するにあたってグループ種別を決定することはない。つまり、リーチグループ決定乱数判定テーブルは、大当たりの抽選結果が「ハズレ」であった場合にのみ参照され、大当たりの抽選結果が「大当たり」であった場合に参照されることはない。
【００６９】
図７は、ハズレ時リーチモードＡ決定乱数判定テーブルを説明する図である。このハズレ時リーチモードＡ決定乱数判定テーブルは、上記のようにして決定されたグループ種別ごとに複数設けられている。ここでは、グループ１が決定されたときに選択されるハズレ時リーチモードＡ決定乱数判定テーブル１を図７（ａ）に示し、グループ２が決定されたときに選択されるハズレ時リーチモードＡ決定乱数判定テーブル２を図７（ｂ）に示し、グループ５が決定されたときに選択されるハズレ時リーチモードＡ決定乱数判定テーブル５を図７（ｃ）に示し、グループ１０が決定されたときに選択されるハズレ時リーチモードＡ決定乱数判定テーブル１０を図７（ｄ）に示し、グループ１１が決定されたときに選択されるハズレ時リーチモードＡ決定乱数判定テーブル１１を図７（ｅ）に示す。
【００７０】
第１始動口２０または第２始動口２２に遊技球が入球すると、０〜２５０の範囲内から１つのリーチモードＡ決定乱数が取得される。そして、上記のグループ種別の抽選によりグループ種別が決定された場合には、当該決定されたグループ種別に対応するハズレ時リーチモードＡ決定乱数判定テーブルが選択され、選択されたハズレ時リーチモードＡ決定乱数判定テーブルとリーチモードＡ決定乱数とに基づいて、変動モード番号が決定される。
【００７１】
そして、各ハズレ時リーチモードＡ決定乱数判定テーブルにおいては、リーチモードＡ決定乱数に、変動モード番号とともに、後述する変動パターン抽選テーブルが対応付けられている。例えば、図７（ｄ）に示すハズレ時リーチモードＡ決定乱数判定テーブル１０によれば、変動モード番号として「００Ｈ」が決定されるのと同時に、変動パターン抽選テーブルとして「テーブルＸ」が決定される。このように、本実施形態では、変動モード番号が決定されると、同時に、変動パターン抽選テーブルが決定されることとなる。なお、本実施形態において、「Ｈ」が付されている数字は１６進数を示しており、「Ｈ」が付されていない数字は１０進数を示している。
【００７２】
図８は、大当たり時リーチモードＡ決定乱数判定テーブルを説明する図である。この大当たり時リーチモードＡ決定乱数判定テーブルは、始動口種別、大当たり当選時に決定される大当たり図柄の種別、および、大当たり当選時の遊技状態に応じて複数設けられている。ここでは、通常遊技状態において特１保留に基づいて特別図柄Ａが決定されたときに選択される大当たり時リーチモードＡ決定乱数判定テーブル１を図８（ａ）に示し、通常遊技状態において特２保留に基づいて特別図柄Ｂが決定されたときに選択される大当たり時リーチモードＡ決定乱数判定テーブル２を図８（ｂ）に示し、高確率遊技状態であって、かつ、時短遊技状態において特１保留または特２保留に基づいて特別図柄Ａ、Ｂが決定されたときに選択される大当たり時リーチモードＡ決定乱数判定テーブル３を図８（ｃ）に示す。
【００７３】
この大当たり時リーチモードＡ決定乱数判定テーブルにおいても、上記のハズレ時リーチモードＡ決定乱数判定テーブルと同様に、リーチモードＡ決定乱数に対して、変動モード番号、変動パターン抽選テーブルが対応付けられており、変動モード番号が決定されると、同時に、変動パターン抽選テーブルが決定されることとなる。なお、図８（ｂ）に示す大当たり時リーチモードＡ決定乱数判定テーブル２によれば、変動モード番号として「００Ｈ」が決定されるのと同時に、変動パターン抽選テーブルとして「テーブルＹ」が決定される。また、図８（ｃ）に示す大当たり時リーチモードＡ決定乱数判定テーブル３によれば、変動モード番号として「００Ｈ」が決定されるのと同時に、変動パターン抽選テーブルとして「テーブルＹ」が決定される。
【００７４】
このことからも明らかなように、本実施形態では、通常遊技状態において特２保留に基づいて「大当たり」の抽選結果が導出された場合と、高確率遊技状態であって、かつ、時短遊技状態において「大当たり」の抽選結果が導出された場合とで、同一の変動モード番号および変動パターン抽選テーブルが決定されることとなる。
【００７５】
以上のように、大当たりの抽選結果が「ハズレ」であった場合には、まず、図６に示すリーチグループ決定乱数判定テーブルとリーチグループ決定乱数とによってグループ種別が決定される。そして、決定されたグループ種別に応じ、図７に示すハズレ時リーチモードＡ決定乱数判定テーブルとリーチモードＡ決定乱数とによって、変動モード番号、変動パターン抽選テーブルが決定される。一方、大当たりの抽選結果が「大当たり」であった場合には、決定された大当たり図柄（特別図柄の種別）と、大当たり当選時の遊技状態とに応じ、図８に示す大当たり時リーチモードＡ決定乱数判定テーブルとリーチモードＡ決定乱数とによって、変動モード番号、変動パターン抽選テーブルが決定されることとなる。
【００７６】
図９は、変動パターン抽選テーブルを説明する図である。ここでは、変動パターン抽選テーブルＡを図９（ａ）に示し、変動パターン抽選テーブルＸを図９（ｂ）に示し、変動パターン抽選テーブルＹを図９（ｃ）に示すが、変動パターン抽選テーブルは、この他にも多数設けられている。
【００７７】
第１始動口２０または第２始動口２２に遊技球が入球すると、０〜２３８の範囲内から１つの変動パターン乱数が取得される。そして、上記の変動モード番号と同時に決定された変動パターン抽選テーブルと、取得した変動パターン乱数とに基づいて変動パターン番号が決定される。例えば、図９（ｂ）に示す変動パターン抽選テーブルＸによれば、必ず、「Ａ０Ｈ」の変動パターン番号が決定され、図９（ｃ）に示す変動パターン抽選テーブルＹによれば、必ず、「Ｂ０Ｈ」の変動パターン番号が決定される。
【００７８】
このように、大当たりの抽選が行われると、大当たりの抽選結果、そのときの遊技状態および保留数に応じて、変動モード番号、変動パターン番号が決定される。これら変動モード番号、変動パターン番号は、変動演出パターンを特定するものであり、そのそれぞれに、変動演出の態様および時間が対応付けられている。
【００７９】
図１０は、変動時間決定テーブルを説明する図である。上記のように、変動モード番号が決定されると、図１０（ａ）に示す変動時間１決定テーブルにしたがって変動時間１が決定される。この変動時間１決定テーブルによれば、変動モード番号ごとに変動時間１が対応付けられており、決定された変動モード番号に応じて、対応する変動時間１が決定される。
【００８０】
また、上記のように、変動パターン番号が決定されると、図１０（ｂ）に示す変動時間２決定テーブルにしたがって変動時間２が決定される。この変動時間２決定テーブルによれば、変動パターン番号ごとに変動時間２が対応付けられており、決定された変動パターン番号に応じて、対応する変動時間２が決定される。このようにして決定された変動時間１、２の合計時間が、大当たりの抽選結果を報知する変動演出の時間、すなわち、変動時間となる。
【００８１】
図１１は、変動演出パターンの決定方法を説明する図である。上記したように、大当たりの抽選において特別図柄の種別が決定されると、当該決定された特別図柄の種別に応じて変動演出パターンが決定される。この変動演出パターンの決定に際しては、まず、大当たりの抽選が行われたときの遊技状態が確認され、次に、大当たりの当選可否が確認される。ここでは、通常遊技状態において、特１保留によって大当たりの抽選結果として「ハズレ」が導出された場合を一例として説明する。
【００８２】
通常遊技状態において、大当たりの抽選結果として「ハズレ」が導出されると、次に、始動口種別（保留種別）および保留数が確認され、このときの始動口種別および保留数に応じて、リーチグループ決定乱数判定テーブル（図６参照）が選択される。そして、選択されたリーチグループ決定乱数判定テーブルを参照してリーチグループ決定乱数の判定が行われ、このときの判定結果、すなわち、グループ種別に基づいて、リーチモードＡ決定乱数判定テーブル（図７、図８参照）が決定される。そして、決定されたリーチモードＡ決定乱数判定テーブルを参照してリーチモードＡ決定乱数の判定が行われて、変動モード番号、および、変動パターン抽選テーブルが決定され、当該決定された変動パターン抽選テーブルと変動パターン乱数とに基づいて、変動パターン番号が決定されることとなる。
【００８３】
以上のようにして変動モード番号が決定されると、当該決定された変動モード番号に対応する変動モードコマンドが副制御基板２００に送信され、変動パターン番号が決定されると、当該決定された変動パターン番号に対応する変動パターンコマンドが副制御基板２００に送信される。副制御基板２００においては、受信した変動モードコマンドに基づいて、主に変動演出の前半の態様が決定され、受信した変動パターンコマンドに基づいて、主に変動演出の後半の態様が決定されることとなるが、その詳細については後述する。
【００８４】
図１２は、大当たりに当選した場合に実行される特別遊技を制御するための特別電動役物作動テーブルを説明する図である。特別電動役物作動テーブルは、特別遊技の実行中に大入賞口開閉ソレノイド２８ｃを通電制御するために参照されるものであり、本実施形態においては、特別電動役物作動テーブルとして、作動テーブル１、２が設けられている。
【００８５】
そして、特別図柄Ａが決定されると、図１２（ａ）に示すように、作動テーブル１を参照して特別遊技が実行される。この作動テーブル１によれば、大入賞口２８が２９．０秒開放すること、または、大入賞口２８に８個の遊技球が入球する（カウントＣ＝８）ことのいずれかの条件が成立することによって終了するラウンド遊技が５回実行される。なお、各ラウンド遊技中、大入賞口２８は１回のみ開放され、各ラウンド遊技間に設定される大入賞口２８の閉鎖時間すなわちインターバル時間が２．０秒に設定されている。
【００８６】
また、特別図柄Ｂが決定されると、図１２（ｂ）に示すように、作動テーブル２を参照して特別遊技が実行される。この作動テーブル２によれば、大入賞口２８が２９．０秒開放すること、または、大入賞口２８に８個の遊技球が入球する（カウントＣ＝８）ことのいずれかの条件が成立することによって終了するラウンド遊技が８回実行される。なお、各ラウンド遊技中、大入賞口２８は１回のみ開放され、各ラウンド遊技間に設定される大入賞口２８の閉鎖時間すなわちインターバル時間が２．０秒に設定されている。
【００８７】
図１３は、上記のようにして特別遊技が実行された場合に、当該特別遊技の終了後の遊技状態を設定するための遊技状態設定テーブルを説明する図である。特別遊技の終了後の遊技状態は、大当たりの抽選によって決定された特別図柄の種別と、大当たり当選時の遊技状態とによって決定される。
【００８８】
図示のとおり、特別図柄Ａ、Ｂが決定された場合には、特別遊技の終了後に高確率遊技状態に設定され、高確率遊技状態の継続回数（以下、「高確回数」という）は１１回に設定される。これは、高確率遊技状態が、大当たりの抽選結果が１１回確定するまで継続することを意味している。ただし、上記した高確回数は１の高確率遊技状態における最大継続回数を示すものであり、上記の継続回数に到達するまでの間に大当たりに当選した場合には、再度、高確回数の設定が行われることとなる。したがって、特別遊技の終了後に高確率遊技状態に設定された場合に、当該高確率遊技状態において「大当たり」の抽選結果が導出されることなく、１１回のハズレ抽選結果が導出されると、低確率遊技状態に遊技状態が変更されることとなる。
【００８９】
また、特別図柄Ａ、Ｂが決定された場合には、高確率遊技状態に設定されるとともに、必ず時短遊技状態に設定される。このとき、時短遊技状態の継続回数（以下、「時短回数」という）は１１回もしくは１００回に設定される。これは、時短遊技状態が、大当たりの抽選結果が１１回または１００回確定するまで継続することを意味している。ただし、上記した時短回数は１の時短遊技状態における最大継続回数を示すものであり、上記の継続回数に到達するまでの間に大当たりに当選した場合には、再度、時短回数の設定が行われることとなる。
【００９０】
なお、時短回数の設定についてより詳細に説明すると、特別図柄Ａが決定されて特別遊技が実行された場合において、当該特別図柄Ａが決定されたときの遊技状態が時短遊技状態であれば時短回数が１００回に設定され、非時短遊技状態であれば時短回数が１１回に設定される。また、特別図柄Ｂが決定されて特別遊技が実行された場合には、当該特別図柄Ｂが決定されたときの遊技状態を問わず、必ず、時短回数が１００回に設定される。
【００９１】
図１４は、当たり決定乱数判定テーブルを説明する図である。遊技領域１６を流下する遊技球がゲート２４を通過すると、第２始動口２２の可動片２２ｂを通電制御するか否かが対応付けられた普通図柄の決定処理（以下、「普図抽選」という）が行われる。
【００９２】
なお、詳しくは後述するが、遊技球がゲート２４を通過すると、０〜９９の範囲内から１つの当たり決定乱数が取得されるとともに、この乱数値がメインＲＡＭ１００ｃの普図保留記憶領域に４つを上限として記憶される。したがって、普図保留記憶領域に４つの乱数値が記憶された状態で、遊技球がゲート２４を通過した場合には、当該遊技球の通過に基づいて乱数値が記憶されることはない。以下では、ゲート２４を遊技球が通過して普図保留記憶領域に記憶された乱数値（当たり決定乱数）を普図保留とよぶ。
【００９３】
非時短遊技状態において普図抽選を開始する場合には、図１４（ａ）に示す当たり決定乱数判定テーブル１が参照される。この当たり決定乱数判定テーブル１によれば、当たり決定乱数が０であった場合に当選と判定し、当たり決定乱数が１〜９９であった場合にはハズレと判定する。したがって、この場合の当選確率は１／１００となる。
【００９４】
また、時短遊技状態において普図抽選を開始する場合には、図１４（ｂ）に示す当たり決定乱数判定テーブル２が参照される。この当たり決定乱数判定テーブル２によれば、当たり決定乱数が０〜９８であった場合に当選と判定し、当たり決定乱数が９９であった場合にはハズレと判定する。したがって、この場合の当選確率は９９／１００となる。なお、普図抽選によって当選の判定結果が得られた場合には当たり図柄が決定され、ハズレの判定結果が得られた場合にはハズレ図柄が決定される。
【００９５】
図１５（ａ）は、普通図柄変動パターン決定テーブルを説明する図であり、図１５（ｂ）は、第２始動口開放制御テーブルを説明する図である。上記のように、普図抽選が行われると、普通図柄の変動パターンが決定される。ここでは、遊技状態が非時短遊技状態に設定されている場合には変動時間が１０秒に決定され、遊技状態が時短遊技状態に設定されている場合には変動時間が１秒に決定される。このようにして変動時間が決定されると、当該決定された時間にわたって普通図柄表示器８８が変動表示（点滅表示）される。そして、当たり図柄が決定された場合には普通図柄表示器８８が点灯し、ハズレ図柄が決定された場合には普通図柄表示器８８が消灯する。
【００９６】
そして、普図抽選によって当たり図柄が決定されるとともに、普通図柄表示器８８が点灯した場合には、第２始動口２２の可動片２２ｂが、図１５（ｂ）に示すように通電制御される。すなわち、当たり図柄が決定された場合には、始動口開閉ソレノイド２２ｃが２．９秒×２回＝５．８秒通電され、第２始動口２２の可動片２２ｂが合計で５．８秒開放される。
【００９７】
このように、非時短遊技状態および時短遊技状態には、それぞれ、第２始動口２２を開閉するための開閉条件が、遊技進行条件として対応付けられており、時短遊技状態においては、非時短遊技状態よりも第２始動口２２に遊技球が入球しやすくなる。つまり、時短遊技状態においては、ゲート２４を遊技球が通過する限りにおいて、次々と普図抽選がなされるとともに、第２始動口２２が頻繁に開放状態となるため、遊技者は遊技球の費消を低減しながら、大当たりの抽選を行うことが可能となる。
【００９８】
なお、第２始動口２２の開閉条件は、普通図柄の当選確率、普通図柄の変動表示の時間、第２始動口２２の開放時間の３つの要素を規定するものである。そして、本実施形態では、この３つの要素全てにおいて、非時短遊技状態よりも時短遊技状態の方が有利に設定することで、時短遊技状態の方が、非時短遊技状態よりも、第２始動口２２に遊技球が入球しやすくなるように設定した。しかしながら、上記３つの要素全てにおいて、時短遊技状態の方が、非時短遊技状態よりも有利に設定する必要はなく、少なくとも１つの要素を有利にすることで、総合的に時短遊技状態の方が、非時短遊技状態よりも第２始動口２２に遊技球が容易に入球するようにすればよい。いずれにしても、遊技状態が非時短遊技状態に設定されている場合に、第１の条件にしたがって可動片２２ｂが開閉制御され、遊技状態が非時短遊技状態に設定されている場合に、第１の条件よりも開状態になりやすい第２の条件にしたがって可動片２２ｂが開閉制御されればよい。
【００９９】
次に、遊技機１における遊技の進行について、フローチャートを用いて説明する。
【０１００】
（主制御基板のメイン処理）
図１６を用いて、主制御基板１００のメイン処理を説明する。
【０１０１】
電源基板より電源が供給されると、メインＣＰＵ１００ａにシステムリセットが発生し、メインＣＰＵ１００ａは、以下のメイン処理を行う。
【０１０２】
（ステップＳ１）
メインＣＰＵ１００ａは、初期化処理として、電源投入に応じて、メインＲＯＭ１００ｂから起動プログラムを読み込むとともに、メインＲＡＭ１００ｃに記憶されるフラグ等を初期化したり、副制御基板２００に送信する各種のコマンドを演出用伝送データ格納領域に記憶したりする。
【０１０３】
（ステップＳ２）
次に、メインＣＰＵ１００ａは、リーチグループ決定乱数、リーチモードＡ決定乱数、変動パターン乱数を更新する。以下では、変動演出パターンを決定するためのリーチグループ決定乱数、リーチモードＡ決定乱数、変動パターン乱数を総称して変動演出用乱数と呼ぶ。
【０１０４】
（ステップＳ３）
次に、メインＣＰＵ１００ａは、当たり図柄乱数用初期値更新乱数を更新する。この当たり図柄乱数用初期値更新乱数は、当たり図柄乱数の初期値および終了値を決定するためのものである。つまり、後述する当たり図柄乱数の更新処理によって当たり図柄乱数が１周すると、当たり図柄乱数は、そのときの当たり図柄乱数用初期値更新乱数に更新されることとなる。このステップＳ３の処理が終了すると、以降は、所定の割込み処理が行われるまで、ステップＳ２とステップＳ３との処理を繰り返し行う。
【０１０５】
（主制御基板のタイマ割込処理）
図１７を用いて、主制御基板１００のタイマ割込処理を説明する。
【０１０６】
主制御基板１００に設けられたリセット用クロックパルス発生回路によって、所定の周期（４ミリ秒、以下「４ｍｓ」という）毎にクロックパルスが発生されることで、以下のタイマ割込処理が実行される。
【０１０７】
（ステップＳ１００）
まず、メインＣＰＵ１００ａは、各種タイマカウンタを更新する時間制御処理を行う。ここで、各種タイマカウンタは、特に断る場合を除き、当該主制御基板１００のタイマ割込処理の度に１ずつ減算され、０になると減算を停止する。
【０１０８】
（ステップＳ２００）
次に、メインＣＰＵ１００ａは、当たり図柄乱数を更新する処理を行う。具体的には、乱数カウンタを１加算して更新し、加算した結果が乱数範囲の最大値を超えた場合には、乱数カウンタを０に戻し、乱数カウンタが１周した場合には、その時の当たり図柄乱数用初期値更新乱数の値から乱数を更新する。なお、詳しい説明は省略するが、本実施形態では、大当たり決定乱数および当たり決定乱数は、主制御基板１００に内蔵されたハードウェア乱数を用いている。この大当たり決定乱数および当たり決定乱数は、いずれも一定の規則にしたがって更新され、乱数列が一巡するごとに自動的に乱数列が変更されるとともに、システムリセット毎にスタート値が変更されるようになっている。
【０１０９】
（ステップＳ３００）
次に、メインＣＰＵ１００ａは、第１始動口検出スイッチ２０ａ、第２始動口検出スイッチ２２ａ、ゲート検出スイッチ２４ａに入力があったか否か判定する入力制御処理を行う。
【０１１０】
（ステップＳ４００）
次に、メインＣＰＵ１００ａは、特別図柄、特別電動役物の制御を行うための特図特電処理を行う。
【０１１１】
（ステップＳ５００）
次に、メインＣＰＵ１００ａは、普通図柄、普通電動役物の制御を行うための普図普電処理を行う。
【０１１２】
（ステップＳ６００）
次に、メインＣＰＵ１００ａは、一般入賞口１８、第１始動口２０、第２始動口２２、大入賞口２８に遊技球が入球したか否かを確認する。具体的には、一般入賞口検出スイッチ１８ａ、第１始動口検出スイッチ２０ａ、第２始動口検出スイッチ２２ａ、大入賞口検出スイッチ２８ａから検出信号が入力された場合には、それぞれの検出信号に対応する賞球カウンタを更新するとともに、検出信号に対応する払出個数指定コマンドを払出制御基板１２０に送信する。なお、払出制御基板１２０において賞球の払い出しが行われると、その賞球ごとに主制御基板１００にコマンドが送信され、当該コマンドを受信すると、賞球カウンタが０になるまで賞球カウンタを減算する。
【０１１３】
（ステップＳ７００）
次に、メインＣＰＵ１００ａは、外部情報データ、第２始動口開閉ソレノイドデータ、大入賞口開閉ソレノイドデータ、各表示器８０、８２、８４、８６、８８、９０の表示データを作成する処理を行う。
【０１１４】
（ステップＳ８００）
次に、メインＣＰＵ１００ａは、上記ステップＳ７００で作成した各データの信号を出力させるポート出力処理、および、上記各ステップでメインＲＡＭ１００ｃの演出用伝送データ格納領域にセットされたコマンドを送信するコマンド送信処理を行う。
【０１１５】
以下に、上記したタイマ割込処理のうち、ステップＳ３００の入力制御処理、ステップＳ４００の特図特電処理、ステップＳ５００の普図普電処理について、詳細に説明する。
【０１１６】
図１８は、上記ステップＳ３００の入力制御処理を説明するフローチャートである。
【０１１７】
（ステップＳ３３０）
まず、メインＣＰＵ１００ａは、第１始動口検出スイッチ２０ａから検出信号が入力されたか、すなわち、遊技球が第１始動口２０に入球したか否かを判定して、大当たりの抽選を行うための所定のデータをセットする。詳しくは、図１９を用いて後述する。
【０１１８】
（ステップＳ３４０）
次に、メインＣＰＵ１００ａは、第２始動口検出スイッチ２２ａから検出信号が入力されたか、すなわち、遊技球が第２始動口２２に入球したか否かを判定して、大当たりの抽選を行うための所定のデータをセットする。詳しくは、図２０を用いて後述する。
【０１１９】
（ステップＳ３５０）
次に、メインＣＰＵ１００ａは、ゲート検出スイッチ２４ａから信号が入力されたか、すなわち、遊技球がゲート２４を通過したか否かを判定して、普通図柄の抽選を行うための所定のデータをセットする。詳しくは、図２１を用いて後述する。
【０１２０】
図１９は、上記ステップＳ３３０の第１始動口検出スイッチ入力処理を説明するフローチャートである。
【０１２１】
（ステップＳ３３０−１）
まず、メインＣＰＵ１００ａは、第１始動口検出スイッチ２０ａから検出信号が入力されたか否かを判定する。第１始動口検出スイッチ２０ａから検出信号が入力されたと判定した場合にはステップＳ３３０−２に処理を移し、第１始動口検出スイッチ２０ａから検出信号が入力されていないと判定した場合には、第１始動口検出スイッチ入力処理を終了する。
【０１２２】
（ステップＳ３３０−２）
次に、メインＣＰＵ１００ａは、保留記憶領域に記憶されている特１保留数（Ｘ１）が４未満であるか否かを判定する。その結果、特１保留数（Ｘ１）＜４と判定した場合にはステップＳ３３０−３に処理を移し、特１保留数（Ｘ１）≧４と判定した場合には第１始動口検出スイッチ入力処理を終了する。
【０１２３】
（ステップＳ３３０−３）
上記ステップＳ３３０−２において、特１保留数（Ｘ１）＜４と判定した場合には、メインＣＰＵ１００ａは、特１保留数（Ｘ１）に「１」加算した値を新たな特１保留数（Ｘ１）として記憶する。
【０１２４】
（ステップＳ３３０−４）
次に、メインＣＰＵ１００ａは、現在の大当たり決定乱数を取得して、保留記憶領域にある第１記憶部から第８記憶部まで順に空いている記憶部を検索し、空いている記憶部に取得した大当たり決定乱数を記憶する。
【０１２５】
（ステップＳ３３０−５）
次に、メインＣＰＵ１００ａは、上記ステップＳ２００で更新された当たり図柄乱数を取得するとともに、当該取得した当たり図柄乱数を、上記ステップＳ３３０−４で大当たり決定乱数を記憶したのと同じ記憶部に記憶する。
【０１２６】
（ステップＳ３３０−６）
次に、メインＣＰＵ１００ａは、上記ステップＳ２で更新されたリーチグループ決定乱数を取得するとともに、上記ステップＳ３３０−４およびステップＳ３３０−５で各乱数を記憶したのと同じ記憶部に記憶する。
【０１２７】
（ステップＳ３３０−７）
次に、メインＣＰＵ１００ａは、上記ステップＳ２で更新されたリーチモードＡ決定乱数を取得するとともに、上記ステップＳ３３０−４〜ステップＳ３３０−６で各乱数を記憶したのと同じ記憶部に記憶する。
【０１２８】
（ステップＳ３３０−８）
次に、メインＣＰＵ１００ａは、上記ステップＳ２で更新された変動パターン乱数を取得するとともに、上記ステップＳ３３０−４〜ステップＳ３３０−７で各乱数を記憶したのと同じ記憶部に記憶する。
【０１２９】
（ステップＳ３３０−９）
次に、メインＣＰＵ１００ａは、特１保留が記憶されたことを示す始動入賞コマンドを生成して演出用伝送データ格納領域にセットする。
【０１３０】
図２０は、上記ステップＳ３４０の第２始動口検出スイッチ入力処理を説明するフローチャートである。
【０１３１】
（ステップＳ３４０−１）
まず、メインＣＰＵ１００ａは、第２始動口検出スイッチ２２ａから検出信号が入力されたか否かを判定する。第２始動口検出スイッチ２２ａから検出信号が入力されたと判定した場合にはステップＳ３４０−２に処理を移し、第２始動口検出スイッチ２２ａから検出信号が入力されていないと判定した場合には、第２始動口検出スイッチ入力処理を終了する。
【０１３２】
（ステップＳ３４０−２）
次に、メインＣＰＵ１００ａは、保留記憶領域に記憶されている特２保留数（Ｘ２）が４未満であるか否かを判定する。その結果、特２保留数（Ｘ２）＜４と判定した場合にはステップＳ３４０−３に処理を移し、特２保留数（Ｘ２）≧４と判定した場合には第２始動口検出スイッチ入力処理を終了する。
【０１３３】
（ステップＳ３４０−３）
上記ステップＳ３４０−２において、特２保留数（Ｘ２）＜４と判定した場合には、メインＣＰＵ１００ａは、特２保留数（Ｘ２）に「１」加算した値を新たな特２保留数（Ｘ２）として記憶する。
【０１３４】
（ステップＳ３４０−４）
次に、メインＣＰＵ１００ａは、現在の大当たり決定乱数を取得して、保留記憶領域にある第１記憶部から第８記憶部まで順に空いている記憶部を検索し、空いている記憶部に取得した大当たり決定乱数を記憶する。
【０１３５】
（ステップＳ３４０−５）
次に、メインＣＰＵ１００ａは、上記ステップＳ２００で更新された当たり図柄乱数を取得するとともに、当該取得した当たり図柄乱数を、上記ステップＳ３４０−４で大当たり決定乱数を記憶したのと同じ記憶部に記憶する。
【０１３６】
（ステップＳ３４０−６）
次に、メインＣＰＵ１００ａは、上記ステップＳ２で更新されたリーチグループ決定乱数を取得するとともに、上記ステップＳ３４０−４およびステップＳ３４０−５で各乱数を記憶したのと同じ記憶部に記憶する。
【０１３７】
（ステップＳ３４０−７）
次に、メインＣＰＵ１００ａは、上記ステップＳ２で更新されたリーチモードＡ決定乱数を取得するとともに、上記ステップＳ３４０−４〜ステップＳ３４０−６で各乱数を記憶したのと同じ記憶部に記憶する。
【０１３８】
（ステップＳ３４０−８）
次に、メインＣＰＵ１００ａは、上記ステップＳ２で更新された変動パターン乱数を取得するとともに、上記ステップＳ３４０−４〜ステップＳ３４０−７で各乱数を記憶したのと同じ記憶部に記憶する。
【０１３９】
（ステップＳ３４０−９）
次に、メインＣＰＵ１００ａは、特２保留が記憶されたことを示す始動入賞コマンドを生成して演出用伝送データ格納領域にセットする。
【０１４０】
図２１は、上記ステップＳ３５０のゲート検出スイッチ入力処理を説明するフローチャートである。
【０１４１】
（ステップＳ３５０−１）
まず、メインＣＰＵ１００ａは、ゲート検出スイッチ２４ａから検出信号が入力されたか否かを判定する。その結果、ゲート検出スイッチ２４ａから検出信号が入力されたと判定した場合にはステップＳ３５０−２に処理を移し、ゲート検出スイッチ２４ａから検出信号が入力されていないと判定した場合には、当該ゲート検出スイッチ入力処理を終了する。
【０１４２】
（ステップＳ３５０−２）
上記ステップＳ３５０−１において、ゲート検出スイッチ２４ａから検出信号が入力されたと判定した場合には、メインＣＰＵ１００ａは、普図保留数（Ｙ）が４未満であるかを判定する。その結果、普図保留数（Ｙ）＜４と判定した場合にはステップＳ３５０−３に処理を移し、普図保留数（Ｙ）≧４と判定した場合には、当該ゲート検出スイッチ入力処理を終了する。
【０１４３】
（ステップＳ３５０−３）
上記ステップＳ３５０−２において、普図保留数（Ｙ）＜４と判定した場合には、メインＣＰＵ１００ａは、普図保留数（Ｙ）に「１」加算した値を新たな普図保留数（Ｙ）として記憶する。
【０１４４】
（ステップＳ３５０−４）
次に、メインＣＰＵ１００ａは、現在の当たり決定乱数を取得して普通図柄保留記憶領域に記憶して、当該ゲート検出スイッチ入力処理を終了する。なお、普通図柄保留記憶領域は、第１記憶部〜第４記憶部の４つの記憶部を有しており、当たり決定乱数が取得されると、第１記憶部から順に当たり決定乱数が記憶されていない空きの記憶部が検索され、空いている記憶部のうちもっとも番号（序数）の小さい記憶部に、取得した当たり決定乱数が記憶される。
【０１４５】
次に、図２２〜図２８を用いて、主制御基板１００において実行される上記の特別図柄遊技に係る処理について説明する。
【０１４６】
図２２は、上記ステップＳ４００の特図特電処理を説明するフローチャートである。
【０１４７】
（ステップＳ４１０）
まず、メインＣＰＵ１００ａは、特図特電データの値をロードする。この特図特電データとしては、特別図柄変動開始処理の実行を示すデータ「００」と、特別図柄変動停止処理の実行を示すデータ「０１」と、停止後処理の実行を示すデータ「０２」と、特別電動役物制御処理の実行を示すデータ「０３」と、特別遊技終了処理の実行を示すデータ「０４」と、が設けられている。
【０１４８】
そして、メインＣＰＵ１００ａは、上記ステップＳ４１０でロードした特図特電データの値に基づいて、特別図柄変動開始処理（ステップＳ４２０）、特別図柄変動停止処理（ステップＳ４３０）、停止後処理（ステップＳ４４０）、特別電動役物制御処理（ステップＳ４５０）、特別遊技終了処理（ステップＳ４６０）を実行する。これら各処理について、以下に、図面を参照して説明する。
【０１４９】
図２３は、上記ステップＳ４２０の特別図柄変動開始処理を説明するフローチャートである。この特別図柄変動開始処理は、上記ステップＳ４１０において、特図特電データ＝００であると判定した場合に実行される。
【０１５０】
（ステップＳ４２０−１）
メインＣＰＵ１００ａは、保留記憶領域に特１保留または特２保留が記憶されているか（特１保留数（Ｘ１）≧１または特２保留数（Ｘ２）≧１）を判定する。その結果、特１保留および特２保留のいずれかが記憶されていると判定した場合にはステップＳ４２０−２に処理を移し、特１保留および特２保留のいずれも記憶されていないと判定した場合にはステップＳ４２０−７に処理を移す。
【０１５１】
（ステップＳ４２０−２）
上記ステップＳ４２０−１において、保留記憶領域に特１保留または特２保留が記憶されていると判定した場合には、メインＣＰＵ１００ａは、保留記憶領域のシフト処理を行う。ここでは、第１記憶部に記憶されている各乱数を所定の処理領域に記憶するとともに、第２記憶部〜第８記憶部に記憶されている各乱数を、１つ番号（序数）が小さい記憶部にシフトさせる。
【０１５２】
（ステップＳ４２０−３）
次に、メインＣＰＵ１００ａは、大当たり決定乱数判定テーブル（図４参照）のうち、現在の遊技状態に対応するテーブルを選択し、当該選択したテーブルと、上記ステップＳ４２０−２において処理領域に記憶された大当たり決定乱数とに基づいて大当たりの抽選結果を導出する。
【０１５３】
そして、導出した抽選結果が「大当たり」であった場合には、始動口種別（特１保留か特２保留か）に応じて当たり図柄決定乱数判定テーブル（図５参照）を選択するとともに、当該選択したテーブルと、上記ステップＳ４２０−２において処理領域に記憶された当たり図柄乱数とに基づいて特別図柄種別を決定する。また、導出した抽選結果が「ハズレ」であった場合には、始動口種別が第１始動口２０（特１保留）であれば特別図柄Ｘを決定し、始動口種別が第２始動口２２（特２保留）であれば特別図柄Ｙを決定する。そして、当該決定した特別図柄に対応するデータを、メインＲＡＭ１００ｃの所定の領域に記憶する。また、この特別図柄決定処理においては、現在の遊技状態、すなわち、特別図柄を決定したときの遊技状態が遊技状態バッファに記憶される。
【０１５４】
なお、この特別図柄変動開始処理によれば、特１保留および特２保留が保留記憶領域に記憶された順に処理される。ただし、特１保留および特２保留の双方が記憶されている場合に、特１保留および特２保留のいずれか一方を優先的に処理してもよい。
【０１５５】
（ステップＳ４２０−４）
次に、メインＣＰＵ１００ａは、上記ステップＳ４２０−３で決定された特別図柄の種別を示す図柄決定コマンドを演出用伝送データ格納領域にセットする。これにより、決定された特別図柄の種別に係る情報が、変動演出の開始時に副制御基板２００に伝送されることとなる。
【０１５６】
（ステップＳ４２１）
次に、メインＣＰＵ１００ａは、上記ステップＳ４２０−２において処理領域に記憶されたリーチグループ決定乱数、リーチモードＡ決定乱数、変動パターン乱数に基づいて、変動演出パターンを決定する変動演出パターン決定処理を行う。この変動演出パターン決定処理については、図２４を用いて後述する。
【０１５７】
（ステップＳ４２０−５）
次に、メインＣＰＵ１００ａは、第１特別図柄表示器８０または第２特別図柄表示器８２において、特別図柄の変動表示を開始するための変動表示データをセットする。これにより、特１保留に基づいて特別図柄の変動表示が行われる場合には、第１特別図柄表示器８０が点滅表示を開始するとともに、特２保留に基づいて特別図柄の変動表示が行われる場合には、第２特別図柄表示器８２が点滅表示を開始する。なお、ここで制御される点滅表示とは、各表示器８０、８２において「−」が所定の間隔で点滅することをいうものである。また、特１保留に基づいて特別図柄の変動表示が行われる場合には、変動表示の開始と同時に、特１保留が１つ減ることを示すように、第１特別図柄保留表示器８４が表示制御され、特２保留に基づいて特別図柄の変動表示が行われる場合には、変動表示の開始と同時に、特２保留が１つ減ることを示すように、第２特別図柄保留表示器８６が表示制御される。
【０１５８】
（ステップＳ４２０−６）
次に、メインＣＰＵ１００ａは、特図特電処理において特別図柄変動停止処理が実行されるように、特図特電データに「０１」をセットし、当該特別図柄変動開始処理を終了する。
【０１５９】
（ステップＳ４２０−７）
また、上記ステップＳ４２０−１において、保留記憶領域に特１保留および特２保留のいずれも記憶されていないと判定した場合には、メインＣＰＵ１００ａは、デモ判定処理を実行する。このデモ判定処理において、メインＣＰＵ１００ａは、特別図柄の変動表示が行われていない時間を計時するとともに、所定時間に亘って特別図柄の変動表示が行われない場合には、演出表示部５０ａにデモ画面を表示するためのデモコマンドを演出用伝送データ格納領域に記憶する。
【０１６０】
図２４は、上記ステップＳ４２１の変動演出パターン決定処理を説明するフローチャートである。
【０１６１】
（ステップＳ４２１−１）
まず、メインＣＰＵ１００ａは、上記ステップＳ４２０−３で決定された特別図柄が大当たり図柄であるかを判定する。その結果、大当たり図柄であると判定した場合にはステップＳ４２１−２に処理を移し、大当たり図柄ではないと判定した場合にはステップＳ４２１−４に処理を移す。
【０１６２】
（ステップＳ４２１−２）
上記ステップＳ４２１−１において、決定された特別図柄は大当たり図柄であると判定した場合には、メインＣＰＵ１００ａは、決定された大当たり図柄に係るデータをロードする。
【０１６３】
（ステップＳ４２１−３）
次に、メインＣＰＵ１００ａは、上記ステップＳ４２１−２でロードした大当たり図柄に係るデータに基づいて、大当たり時リーチモードＡ決定乱数判定テーブル（図８参照）をセットする。
【０１６４】
（ステップＳ４２１−４）
一方、上記ステップＳ４２１−１において、決定した特別図柄は大当たり図柄ではないと判定した場合には、メインＣＰＵ１００ａは、現在の保留数を確認する。
【０１６５】
（ステップＳ４２１−５）
次に、メインＣＰＵ１００ａは、上記ステップＳ４２１−４で確認した保留数、現在設定されている遊技状態、および、変動状態に基づいて、リーチグループ決定乱数判定テーブル（図６参照）をセットする。
【０１６６】
（ステップＳ４２１−６）
次に、メインＣＰＵ１００ａは、上記ステップＳ４２０−２で処理領域に書き込まれたリーチグループ決定乱数と、上記ステップＳ４２１−５でセットされたリーチグループ決定乱数判定テーブルとに基づいて、グループ種別を決定するとともに、当該決定したグループ種別を所定の処理領域に記憶する。
【０１６７】
（ステップＳ４２１−７）
次に、メインＣＰＵ１００ａは、上記ステップＳ４２１−６で決定されたグループ種別に基づいて、ハズレ時リーチモードＡ決定乱数判定テーブル（図７参照）をセットする。
【０１６８】
（ステップＳ４２１−８）
メインＣＰＵ１００ａは、上記ステップＳ４２１−３でセットされた大当たり時リーチモードＡ決定乱数判定テーブル、または、上記ステップＳ４２１−７でセットされたハズレ時リーチモードＡ決定乱数判定テーブルと、上記ステップＳ４２０−２で処理領域に書き込まれたリーチモードＡ決定乱数とに基づいて、変動モード番号を決定するとともに、当該決定した変動モード番号を所定の処理領域に記憶する。また、ここでは変動モード番号が決定されるのと同時に、変動パターン抽選テーブルが決定される。
【０１６９】
（ステップＳ４２１−９）
次に、メインＣＰＵ１００ａは、上記ステップＳ４２１−８で決定された変動パターン抽選テーブル（図９参照）をセットする。
【０１７０】
（ステップＳ４２１−１０）
次に、メインＣＰＵ１００ａは、上記ステップＳ４２１−９でセットされた変動パターン抽選テーブルと、上記ステップＳ４２０−２で処理領域に書き込まれた変動パターン乱数とに基づいて、変動パターン番号を決定するとともに、当該決定した変動パターン番号を所定の処理領域に記憶する。
【０１７１】
（ステップＳ４２１−１１）
次に、メインＣＰＵ１００ａは、上記ステップＳ４２１−８で決定された変動モード番号、上記ステップＳ４２１−１０で決定された変動パターン番号と、変動時間決定テーブル（図１０参照）とに基づいて、変動時間１、２を決定する。そして、決定した変動時間１、２をそれぞれ記憶するとともに、変動時間１、２を積算した合計変動時間を算出して、変動時間タイマカウンタにセットする。また、ここでは、決定された変動モード番号に基づいて変動モードコマンドが生成され、変動パターン番号に基づいて変動パターンコマンドが生成される。これにより、変動演出パターン決定処理が終了となる。
【０１７２】
図２５は、上記ステップＳ４３０の特別図柄変動停止処理を説明するフローチャートである。この特別図柄変動停止処理は、上記ステップＳ４１０において、特図特電データ＝０１であると判定した場合に実行される。
【０１７３】
（ステップＳ４３０−１）
メインＣＰＵ１００ａは、変動時間（ステップＳ４２１−１１でセット）が経過したか否かを判定する。その結果、変動時間が経過したと判定した場合にはステップＳ４３０−２に処理を移し、変動時間は経過していないと判定した場合には当該特別図柄変動停止処理を終了する。
【０１７４】
（ステップＳ４３０−２）
上記ステップＳ４３０−１において、変動時間が経過したと判定した場合には、メインＣＰＵ１００ａは、上記ステップＳ４２０−３で決定、記憶された特別図柄を、第１特別図柄表示器８０または第２特別図柄表示器８２に停止表示するための停止表示データをセットする。
【０１７５】
（ステップＳ４３０−３）
次に、メインＣＰＵ１００ａは、図柄が確定したことを示す図柄確定コマンドを演出用伝送データ格納領域にセットする。
【０１７６】
（ステップＳ４３０−４）
次に、メインＣＰＵ１００ａは、上記のようにして特別図柄の停止表示を開始したら、停止表示時間カウンタに図柄を停止表示する時間をセットする。
【０１７７】
（ステップＳ４３０−５）
次に、メインＣＰＵ１００ａは、特図特電処理において停止後処理が実行されるように、特図特電データに「０２」をセットし、当該特別図柄変動停止処理を終了する。
【０１７８】
図２６は、上記ステップＳ４４０の停止後処理を説明するフローチャートである。この停止後処理は、上記ステップＳ４１０において、特図特電データ＝０２であると判定した場合に実行される。
【０１７９】
（ステップＳ４４０−１）
メインＣＰＵ１００ａは、停止表示時間（ステップＳ４３０−４でセット）が経過したか否かを判定する。その結果、停止表示時間は経過していないと判定した場合には当該停止後処理を終了し、停止表示時間を経過したと判定した場合にはステップＳ４４０−２に処理を移す。
【０１８０】
（ステップＳ４４０−２）
上記ステップＳ４４０−１において、停止表示時間が経過したと判定した場合には、メインＣＰＵ１００ａは、現在設定されている遊技状態を遊技状態バッファに記憶する。
【０１８１】
（ステップＳ４４０−３）
次に、メインＣＰＵ１００ａは、時短回数更新処理を行う。ここでは、メインＣＰＵ１００ａは、現在の遊技状態が時短遊技状態であることを示す時短遊技フラグがオンしているか否かを判定する。そして、時短遊技フラグがオンしている場合には、メインＲＡＭ１００ｃに設けられた時短回数記憶領域を更新する。この時短回数記憶領域には、時短遊技状態が終了するまでの残り変動回数を示す時短回数が記憶されており、ここでは、現在、記憶されている時短回数から「１」減算した値を新たな時短回数として記憶することとなる。なお、時短回数を更新した結果、時短回数＝０となった場合には、同時に時短遊技フラグをオフする処理が行われることとなる。また、時短遊技フラグはオンしていないと判定した場合には、そのまま次のステップＳ４４０−４に処理を移す。
【０１８２】
（ステップＳ４４０−４）
次に、メインＣＰＵ１００ａは、高確回数更新処理を行う。ここでは、メインＣＰＵ１００ａは、現在の遊技状態が高確率遊技状態であることを示す高確遊技フラグがオンしているか否かを判定する。そして、高確遊技フラグがオンしている場合には、メインＲＡＭ１００ｃに設けられた高確回数記憶領域を更新する。この高確回数記憶領域には、高確率遊技状態が終了するまでの残り変動回数を示す高確回数が記憶されており、ここでは、現在、記憶されている高確回数から「１」減算した値を新たな高確回数として記憶することとなる。なお、高確回数を更新した結果、高確回数＝０となった場合には、同時に高確遊技フラグをオフする処理が行われることとなる。また、高確遊技フラグはオンしていないと判定した場合には、そのまま次のステップＳ４４０−５に処理を移す。
【０１８３】
（ステップＳ４４０−５）
次に、メインＣＰＵ１００ａは、停止表示されている図柄が大当たり図柄であるかを判定する。その結果、停止表示されている図柄は大当たり図柄ではないと判定した場合にはステップＳ４４０−６に処理を移し、停止表示されている図柄は大当たり図柄であると判定した場合にはステップＳ４４０−７に処理を移す。
【０１８４】
（ステップＳ４４０−６）
上記ステップＳ４４０−５において、停止表示されている図柄は大当たり図柄ではないと判定した場合には、メインＣＰＵ１００ａは、特図特電処理において特別図柄変動開始処理が実行されるように、特図特電データに「００」をセットし、ステップＳ４４０−１０に処理を移す。
【０１８５】
（ステップＳ４４０−７）
一方、上記ステップＳ４４０−５において、停止表示されている図柄は大当たり図柄であると判定した場合には、メインＣＰＵ１００ａは、大当たり当選時遊技状態コマンドをセットする。この大当たり当選時遊技状態コマンドは、大当たり当選時の遊技状態が非時短遊技状態であるか、それとも時短遊技状態であるかを副制御基板２００に伝達するためのコマンドである。
【０１８６】
（ステップＳ４４０−８）
次に、メインＣＰＵ１００ａは、現在の遊技状態をリセットする処理を行う。
【０１８７】
（ステップＳ４４０−９）
次に、メインＣＰＵ１００ａは、特図特電処理において特別電動役物制御処理が実行されるように、特図特電データに「０３」をセットする。これにより、大当たり図柄が停止表示した後に特別遊技が開始されることとなる。
【０１８８】
（ステップＳ４４０−１０）
次に、メインＣＰＵ１００ａは、現在の遊技状態を確認し、遊技状態コマンドを演出用伝送データ格納領域にセットして当該停止後処理を終了する。
【０１８９】
図２７は、上記ステップＳ４５０の特別電動役物制御処理を説明するフローチャートである。この特別電動役物制御処理は、上記ステップＳ４１０において、特図特電データ＝０３であると判定した場合に実行される。
【０１９０】
（ステップＳ４５０−１）
メインＣＰＵ１００ａは、まず、特別遊技を開始するにあたってオープニング開始処理を実行する。メインＣＰＵ１００ａは、特別遊技の開始にあたって、まずオープニングコマンドを演出用伝送データ格納領域にセットし、予め設定されたオープニング時間が経過するまで待機することとなる。なお、すでにオープニングコマンドが送信されている場合には、そのままステップＳ４５０−２に処理を移すこととなる。
【０１９１】
（ステップＳ４５０−２）
次に、メインＣＰＵ１００ａは、現在、オープニング中であるか、すなわち、オープニング時間が経過したかを判定する。その結果、オープニング時間が経過していると判定した場合にはステップＳ４５０−３に処理を移し、オープニング時間は経過していないと判定した場合には当該特別電動役物制御処理を終了する。
【０１９２】
（ステップＳ４５０−３）
上記ステップＳ４５０−２において、オープニング時間が経過したと判定した場合には、メインＣＰＵ１００ａは、特別遊技実行処理を行う。ここでは、停止表示されている特別図柄の種別に応じて、作動テーブル１、２（図１２参照）のいずれかをセットするとともに、当該セットしたテーブルを参照して、大入賞口開閉ソレノイド２８ｃの通電制御が行われることとなる。
【０１９３】
なお、ここでは、各ラウンド遊技の開始時に、メインＣＰＵ１００ａが、ラウンド開始コマンドを演出用伝送データ格納領域にセットする。このラウンド開始コマンドは、何回目のラウンド遊技が開始されるのかに係る情報を有するものである。これにより、副制御基板２００では、主制御基板１００において何回目のラウンド遊技が開始されるのかを把握することが可能となっている。
【０１９４】
（ステップＳ４５０−４）
次に、メインＣＰＵ１００ａは、大入賞口２８の全開閉が終了したかを判定する。その結果、大入賞口２８の全ての開閉が終了したと判定した場合にはステップＳ４５０−５に処理を移し、大入賞口２８の全ての開閉が終了していないと判定した場合には当該特別電動役物制御処理を終了する。
【０１９５】
（ステップＳ４５０−５）
上記ステップＳ４５０−４において、大入賞口２８の全開閉が終了したと判定した場合には、メインＣＰＵ１００ａは、エンディング開始処理を実行する。ここでは、エンディングコマンドを演出用伝送データ格納領域にセットするとともに、所定のエンディング時間が経過するまで待機する。
【０１９６】
（ステップＳ４５０−６）
次に、メインＣＰＵ１００ａは、エンディング時間が経過したか否かを判定する。その結果、エンディング時間が経過したと判定した場合にはステップＳ４５０−７に処理を移し、エンディング時間は経過していないと判定した場合には当該特別電動役物制御処理を終了する。
【０１９７】
（ステップＳ４５０−７）
上記ステップＳ４５０−６において、エンディング時間が経過したと判定した場合には、メインＣＰＵ１００ａは、特図特電処理において特別遊技終了処理が実行されるように、特図特電データに「０４」をセットし、当該特別電動役物制御処理を終了する。
【０１９８】
図２８は、上記ステップＳ４６０の特別遊技終了処理を説明するフローチャートである。この特別遊技終了処理は、上記ステップＳ４１０において、特図特電データ＝０４であると判定した場合に実行される。
【０１９９】
（ステップＳ４６０−１）
まず、メインＣＰＵ１００ａは、メインＲＡＭ１００ｃに記憶された特別図柄データ、および、遊技状態バッファに記憶された大当たり当選時の遊技状態に係るデータをロードする。そして、図１３に示す遊技状態設定テーブルを参照し、特別遊技の終了後の遊技状態を設定する。具体的には、高確遊技フラグ、高確回数、時短遊技フラグ、時短回数を設定する。
【０２００】
（ステップＳ４６０−２）
次に、メインＣＰＵ１００ａは、遊技状態を確認し、遊技状態指定コマンドを演出用伝送データ格納領域にセットする。この遊技状態指定コマンドは、上記ステップＳ４６０−１で設定された高確遊技フラグ、高確回数、時短遊技フラグ、時短回数、特別遊技の実行契機となった大当たり図柄の種別に係る情報を有している。
【０２０１】
（ステップＳ４６０−３）
次に、メインＣＰＵ１００ａは、特図特電処理において特別図柄変動開始処理が実行されるように、特図特電データに「００」をセットし、当該特別遊技終了処理を終了する。
【０２０２】
次に、図２９〜図３３を用いて、主制御基板１００において実行される上記の普通図柄遊技に係る処理について説明する。
【０２０３】
図２９は、上記ステップＳ５００の普図普電処理を説明するフローチャートである。
【０２０４】
（ステップＳ５１０）
まず、メインＣＰＵ１００ａは、普図普電データの値をロードする。この普図普電データは、普通図柄変動開始処理の実行を示すデータ「１０」と、普通図柄変動停止処理の実行を示すデータ「１１」と、普通図柄停止後処理の実行を示すデータ「１２」と、普通電動役物制御処理の実行を示すデータ「１３」と、が設けられている。
【０２０５】
次に、メインＣＰＵ１００ａは、普通図柄変動開始処理（ステップＳ５２０）、普通図柄変動停止処理（ステップＳ５３０）、普通図柄停止後処理（ステップＳ５４０）、普通電動役物制御処理（ステップＳ５５０）を実行する。これら各処理について、以下に、図面を参照して説明する。
【０２０６】
図３０は、上記ステップＳ５２０の普通図柄変動開始処理を説明するフローチャートである。
【０２０７】
（ステップＳ５２０−１）
まず、メインＣＰＵ１００ａは、普図普電データが、普通図柄変動開始処理の実行を示すデータ「１０」であるか否かを判定する。その結果、普図普電データ＝１０と判定した場合にはステップＳ５２０−２に処理を移し、普図普電データ＝１０ではないと判定した場合には当該普通図柄変動開始処理を終了する。
【０２０８】
（ステップＳ５２０−２）
上記ステップＳ５２０−１において、普図普電データ＝１０と判定した場合には、メインＣＰＵ１００ａは、普図保留数（Ｙ）が１以上であるかを判定する。その結果、普図保留数（Ｙ）≧１と判定した場合にはステップＳ５２０−３に処理を移し、普図保留数（Ｙ）＜１と判定した場合には当該普通図柄変動開始処理を終了する。
【０２０９】
（ステップＳ５２０−３）
上記ステップＳ５２０−２において、普図保留数（Ｙ）≧１と判定した場合には、メインＣＰＵ１００ａは、普図保留数（Ｙ）から「１」減算した値を新たな普図保留数（Ｙ）として記憶する。
【０２１０】
（ステップＳ５２０−４）
次に、メインＣＰＵ１００ａは、普通図柄保留記憶領域に記憶されている普図保留をシフトする処理を行う。具体的には、第１記憶部に記憶されている当たり決定乱数を所定の処理領域に複写するとともに、第２記憶部〜第４記憶部に当たり決定乱数が記憶されている場合には、これら各乱数を１つ番号（序数）の小さい記憶部にシフトさせる。具体的には、第１記憶部に記憶されている乱数を所定の処理領域に複写するとともに、第２記憶部に記憶されている乱数を第１記憶部にシフトさせて記憶する。同様に、第３記憶部および第４記憶部に乱数が記憶されている場合には、これら各乱数を番号（序数）の１つ小さい記憶部にシフトさせる。これにより、普通図柄保留記憶領域に記憶された普図保留は、記憶された順に処理領域に書き込まれることとなる。つまり、普通図柄保留記憶領域に記憶された乱数は、先に記憶された乱数から順に読み出されて、当選判定処理に用いられることとなる。
【０２１１】
（ステップＳ５２０−５）
次に、メインＣＰＵ１００ａは、処理領域に複写された当たり決定乱数の当選判定処理を行う。具体的には、現在の遊技状態が非時短遊技状態である場合には、図１４（ａ）に示す当たり決定乱数判定テーブル１を参照して、処理領域に複写された当たり決定乱数を判定する。また、現在の遊技状態が時短遊技状態である場合には、図１４（ｂ）に示す当たり決定乱数判定テーブル２を参照して、処理領域に複写された当たり決定乱数を判定する。
【０２１２】
（ステップＳ５２０−６）
次に、メインＣＰＵ１００ａは、上記ステップＳ５２０−５の当選判定処理の結果が当選であるか否かを判定する。その結果、当選の判定結果が得られた場合にはステップＳ５２０−７に処理を移し、当選ではなくハズレの判定結果が得られた場合にはステップＳ５２０−８に処理を移す。
【０２１３】
（ステップＳ５２０−７）
上記ステップＳ５２０−６において、判定結果が当選であると判定した場合には、メインＣＰＵ１００ａは、当たり図柄データをメインＲＡＭ１００ｃの所定の領域に記憶する。
【０２１４】
（ステップＳ５２０−８）
一方、上記ステップＳ５２０−６において、判定結果がハズレであると判定した場合には、メインＣＰＵ１００ａは、ハズレ図柄データをメインＲＡＭ１００ｃの所定の領域に記憶する。
【０２１５】
（ステップＳ５２０−９）
次に、メインＣＰＵ１００ａは、現在の遊技状態が、非時短遊技状態または時短遊技状態のいずれに設定されているかを確認するとともに、現在の遊技状態に応じて普図変動時間をセットする。具体的には、図１５（ａ）の普通図柄変動パターン決定テーブルに示すように、現在の遊技状態が非時短遊技状態である場合には、普図変動時間カウンタに１０秒をセットし、時短遊技状態である場合には普図変動時間カウンタに１秒をセットする。
【０２１６】
（ステップＳ５２０−１０）
次に、メインＣＰＵ１００ａは、普通図柄の変動表示を開始するための変動表示データをセットする。これにより、普通図柄の変動表示が行われる場合には、普通図柄表示器８８が点滅表示を開始する。また、普通図柄の変動表示が開始するのと同時に、普図保留が１つ減ることを示すように、普通図柄保留表示器９０が表示制御される。
【０２１７】
（ステップＳ５２０−１１）
次に、メインＣＰＵ１００ａは、現在の遊技状態を変動開始時の遊技状態として遊技状態バッファに記憶する。
【０２１８】
（ステップＳ５２０−１２）
次に、メインＣＰＵ１００ａは、普図普電処理において普通図柄変動停止処理が実行されるように、普図普電データに「１１」をセットし、当該普通図柄変動開始処理を終了する。
【０２１９】
図３１は、上記ステップＳ５３０の普通図柄変動停止処理を説明するフローチャートである。
【０２２０】
（ステップＳ５３０−１）
まず、メインＣＰＵ１００ａは、普図普電データが、普通図柄変動停止処理の実行を示すデータ「１１」であるか否かを判定する。その結果、普図普電データ＝１１と判定した場合にはステップＳ５３０−２に処理を移し、普図普電データ＝１１ではないと判定した場合には当該普通図柄変動停止処理を終了する。
【０２２１】
（ステップＳ５３０−２）
上記ステップＳ５３０−１において、普図普電データ＝１１と判定した場合には、メインＣＰＵ１００ａは、普図変動時間（ステップＳ５２０−９でセット）が経過したかを判定する。その結果、普図変動時間が経過したと判定した場合にはステップＳ５３０−３に処理を移し、普図変動時間は経過していないと判定した場合には当該普通図柄変動停止処理を終了する。
【０２２２】
（ステップＳ５３０−３）
上記ステップＳ５３０−２において、普図変動時間が経過したと判定した場合には、メインＣＰＵ１００ａは、普通図柄表示器８８に普通図柄を停止表示するための停止表示データをセットする。これにより、普通図柄表示器８８において、普通図柄が停止表示されることとなる。
【０２２３】
（ステップＳ５３０−４）
次に、メインＣＰＵ１００ａは、上記のようにして普通図柄の停止表示を開始したら、停止表示時間カウンタに図柄を停止表示する時間（変動停止時間）をセットする。
【０２２４】
（ステップＳ５３０−５）
次に、メインＣＰＵ１００ａは、普図普電処理において普通図柄停止後処理が実行されるように、普図普電データに「１２」をセットし、当該普通図柄変動停止処理を終了する。
【０２２５】
図３２は、上記ステップＳ５４０の普通図柄停止後処理を説明するフローチャートである。
【０２２６】
（ステップＳ５４０−１）
まず、メインＣＰＵ１００ａは、普図普電データが、普通図柄停止後処理の実行を示すデータ「１２」であるか否かを判定する。その結果、普図普電データ＝１２と判定した場合にはステップＳ５４０−２に処理を移し、普図普電データ＝１２ではないと判定した場合には当該普通図柄停止後処理を終了する。
【０２２７】
（ステップＳ５４０−２）
上記ステップＳ５４０−１において、普図普電データ＝１２と判定した場合には、メインＣＰＵ１００ａは、停止表示時間（ステップＳ５３０−４でセット）が経過したか否かを判定する。その結果、停止表示時間は経過していないと判定した場合には当該普通図柄停止後処理を終了し、停止表示時間を経過したと判定した場合にはステップＳ５４０−３に処理を移す。
【０２２８】
（ステップＳ５４０−３）
上記ステップＳ５４０−２において、停止表示時間が経過したと判定した場合には、メインＣＰＵ１００ａは、停止表示されている図柄が当たり図柄であるかを判定する。その結果、停止表示されている図柄は当たり図柄ではないと判定した場合にはステップＳ５４０−５に処理を移し、停止表示されている図柄は当たり図柄であると判定した場合にはステップＳ５４０−４に処理を移す。
【０２２９】
（ステップＳ５４０−４）
上記ステップＳ５４０−３において、停止表示されている図柄は当たり図柄であると判定した場合には、メインＣＰＵ１００ａは、普図普電処理において普通電動役物制御処理が実行されるように、普図普電データに「１３」をセットし、当該普通図柄停止後処理を終了する。
【０２３０】
（ステップＳ５４０−５）
一方、上記ステップＳ５４０−３において、停止表示されている図柄は当たり図柄ではない（ハズレ図柄である）と判定した場合には、メインＣＰＵ１００ａは、普図普電処理において普通図柄変動開始処理が実行されるように、普図普電データに「１０」をセットし、当該普通図柄停止後処理を終了する。
【０２３１】
図３３は、上記ステップＳ５５０の普通電動役物制御処理を説明するフローチャートである。
【０２３２】
（ステップＳ５５０−１）
まず、メインＣＰＵ１００ａは、普図普電データが、普通電動役物制御処理の実行を示すデータ「１３」であるか否かを判定する。その結果、普図普電データ＝１３と判定した場合にはステップＳ５５０−２に処理を移し、普図普電データ＝１３ではないと判定した場合には当該普通電動役物制御処理を終了する。
【０２３３】
（ステップＳ５５０−２）
上記ステップＳ５５０−１において、普図普電データ＝１３と判定した場合には、メインＣＰＵ１００ａは、普通電動役物が制御中であるか、すなわち、すでに始動口開閉ソレノイド２２ｃが通電制御中であるかを判定する。その結果、普通電動役物が制御中であると判定した場合には、ステップＳ５５０−５に処理を移し、普通電動役物は制御中ではないと判定した場合にはステップＳ５５０−３に処理を移す。
【０２３４】
（ステップＳ５５０−３）
上記ステップＳ５５０−２において、普通電動役物は制御中ではないと判定した場合には、メインＣＰＵ１００ａは、普通図柄の変動開始時の遊技状態が、非時短遊技状態または時短遊技状態のいずれであったかを判定する。
【０２３５】
（ステップＳ５５０−４）
次に、メインＣＰＵ１００ａは、始動口開閉ソレノイド２２ｃの通電制御を開始すべく、上記ステップＳ５５０−３において確認した遊技状態に応じて開放テーブルをセットする。ここでは、始動口開閉ソレノイド２２ｃの通電制御データとして、開放回数＝２回、１回の開放時間＝２．９秒となる通電制御データがセットされる。
【０２３６】
（ステップＳ５５０−５）
また、上記ステップＳ５５０−２において、普通電動役物が制御中であると判定した場合には、メインＣＰＵ１００ａは、上記ステップＳ５５０−４でセットされた通電時間を経過したかを判定する。その結果、通電時間を経過したと判定した場合にはステップＳ５５０−６に処理を移し、通電時間は経過していないと判定した場合には当該普通電動役物制御処理を終了する。
【０２３７】
（ステップＳ５５０−６）
上記ステップＳ５５０−５において、通電時間が経過したと判定した場合には、メインＣＰＵ１００ａは、始動口開閉ソレノイド２２ｃの通電を停止する処理を行う。
【０２３８】
（ステップＳ５５０−７）
次に、メインＣＰＵ１００ａは、普図普電処理において普通図柄変動開始処理が実行されるように、普図普電データに「１０」をセットし、当該普通電動役物制御処理を終了する。
【０２３９】
以上のように、主制御基板１００において各種の処理が実行されることにより、特別図柄遊技および普通図柄遊技が進行することとなるが、こうした遊技の進行中には、主制御基板１００から送信されるコマンドに基づいて、副制御基板２００において、さまざまな演出を実行するための制御が行われる。以下では、特別図柄の変動表示中に実行され、大当たりの抽選結果を報知する変動演出について説明する。
【０２４０】
図３４は、リーチなし変動パターンの変動演出の一例を説明する図である。本実施形態では、変動演出の態様が、リーチなし変動パターンとリーチ変動パターンとに大別される。図３４に示すように、リーチなし変動パターンの変動演出では、演出表示部５０ａに背景画像（図示を省略）が表示されるとともに、この背景画像に演出図柄４０ａ、４０ｂ、４０ｃが重畳して変動表示される。例えば、図３４（ａ）に示すように、大当たりの抽選結果がハズレであったことを示す組み合わせで演出図柄４０ａ、４０ｂ、４０ｃが停止表示されているとする。この状態で、新たに特別図柄の変動表示が行われると、当該特別図柄の変動表示の開始に伴って、図３４（ｂ）に示すように、３つの演出図柄４０ａ、４０ｂ、４０ｃが変動表示（スクロール表示）を開始する。なお、図中下向きの矢印は、演出図柄４０ａ、４０ｂ、４０ｃが縦方向にスクロール表示されていることを示している。
【０２４１】
そして、図３４（ｃ）に示すように、まず、演出図柄４０ａが停止表示され、その後、図３４（ｄ）に示すように、演出図柄４０ａと異なる図柄（態様）で演出図柄４０ｃが停止表示される。そして、特別図柄の変動表示が終了して、第１特別図柄表示器８０または第２特別図柄表示器８２に特別図柄が停止表示するのとほぼ同じタイミングで、図３４（ｅ）に示すように、演出図柄４０ｂが停止表示され、このとき停止表示されている３つの演出図柄４０ａ、４０ｂ、４０ｃの組み合わせによって、大当たりの抽選結果が遊技者に報知される。
【０２４２】
なお、本実施形態では、大当たり当選時には、３つの演出図柄４０ａ、４０ｂ、４０ｃが全て同一の図柄（態様）で停止表示され、その後に特別遊技が実行される。一方、大当たりの抽選結果がハズレであった場合には、３つの演出図柄４０ａ、４０ｂ、４０ｃが全て同一の図柄（態様）で停止表示されることはない。
【０２４３】
図３５は、リーチ変動パターンの変動演出の一例を説明する図である。リーチ変動パターンの変動演出では、例えば、図３５（ａ）に示すように、特別図柄の変動表示の開始に伴って、演出図柄４０ａ、４０ｂ、４０ｃの変動表示が開始された後、図３５（ｂ）に示すように、演出図柄４０ａが停止表示される。その後、図３５（ｃ）に示すように、演出図柄４０ｃが停止表示される。このとき、演出図柄４０ｃは、演出図柄４０ａと同一の図柄（態様）で停止表示される。
【０２４４】
このように、演出表示部５０ａにおいて、演出図柄４０ａ、４０ｃが特定態様（同一の図柄（態様））、所謂「リーチ態様」で表示されると、その後、図３５（ｄ）に示すように、演出図柄４０ａ、４０ｂ、４０ｃの形状を、特定態様になる前と異にして変動表示が継続される。そして、その後、演出表示部５０ａには、図３５（ｅ）に示すように、所定の動画（リーチ発展演出）が再生表示されるとともに、最終的に、演出図柄４０ａ、４０ｂ、４０ｃが停止表示されて大当たりの抽選結果が遊技者に報知されることとなる。
【０２４５】
図３６は、特殊変動パターンの変動演出の一例を説明する図である。本実施形態では、特別遊技の終了後、１〜１１回目の大当たりの抽選結果、換言すれば、高確率遊技状態であって、かつ、時短遊技状態に設定されているときに導出された大当たりの抽選結果を報知する各変動演出の態様が、特殊変動パターンとなる。また、遊技状態が通常遊技状態（低確率遊技状態であって、かつ、非時短遊技状態）に設定されているときに、ゲート２４を遊技球が通過し、普通図柄の抽選によって「当たり」に当選した場合には、第２始動口２２が開放される。この場合、遊技者が第２始動口２２に向けて遊技球を発射させることで、特２保留が記憶され、当該特２保留に基づく大当たりの抽選が行われる。このようにして特２保留に基づいて導出された大当たりの抽選結果を報知する変動演出の態様も、特殊変動パターンとなる。
【０２４６】
この特殊変動パターンの変動演出においては、図３６（ａ）に示すように、変動演出の開始とともに、演出図柄４０ａ、４０ｂ、４０ｃが変動表示を開始し、演出表示部５０ａに、キャラクターＡが敵と戦う動画が再生表示される。そして、「大当たり」の当選時に実行される特殊変動パターンの変動演出では、最終的に、図３６（ｂ）に示すように、キャラクターＡが敵に勝利する画像が演出表示部５０ａに表示されるとともに、演出図柄４０ａ、４０ｂ、４０ｃが同一の図柄で停止表示されて大当たりの抽選結果が遊技者に報知されることとなる。
【０２４７】
一方、「ハズレ」時に実行される特殊変動パターンの変動演出では、図３６（ａ）に示すように、大当たり当選時と同じ、キャラクターＡが敵と戦う動画が再生表示された後、最終的に、図３６（ｃ）に示すように、キャラクターＡが敵に敗北する画像が演出表示部５０ａに表示され、演出図柄４０ａ、４０ｂ、４０ｃが「ハズレ」を報知する態様で停止表示される。
【０２４８】
図３７は、特別遊技の終了後に設定される時短回数および高確回数を説明する図である。既に説明したとおり、特別遊技の終了後には、必ず、高確率遊技状態および時短遊技状態に設定され、このとき、時短回数は１１回もしくは１００回、高確回数は１１回に設定される。つまり、特別遊技の終了後、１１回目の変動演出が終了するまでの間、「大当たり」の抽選結果が導出されなければ、必ず、高確率遊技状態および時短遊技状態に設定されている。そして、上記のように、高確率遊技状態および時短遊技状態に設定されている間、すなわち、特別遊技の終了後の１１回の変動演出は、図３６に示す特殊変動パターンとなり、この間に「大当たり」に当選した場合には、図３６（ｂ）に示すように、キャラクターＡが敵に勝利する画像が表示される。このとき、特別遊技の終了後の遊技状態は、必ず、高確率遊技状態および時短遊技状態に設定され、特１保留および特２保留の種別を問わず、高確回数が１１回、時短回数が１００回に設定される。つまり、特殊変動パターンの変動演出において、キャラクターＡが敵に勝利する画像というのは、特別遊技の終了後に、高確回数が１１回、時短回数が１００回に設定されることを報知するものということができる。
【０２４９】
これに対して、非時短遊技状態（通常遊技状態）において、特１保留に基づいて「大当たり」に当選した場合には、高確回数および時短回数ともに１１回に設定される。非時短遊技状態においては、普図抽選の当選確率が１／１００であることから、第２始動口２２が開放される機会は極めて稀であり、ほとんどの大当たりの抽選が、特１保留に基づいて実施される。したがって、本実施形態の遊技機１の主な遊技性は、次のとおりとなる。
【０２５０】
すなわち、遊技の開始時においては、遊技者は、まず、第１始動口２０に向けて遊技球を発射させる。そして、特１保留に基づいて「大当たり」に当選すると、特別遊技の終了後に、高確回数および時短回数が１１回に設定され、この間に「大当たり」に当選しなければ、再度、最初と同じ状態である通常遊技状態にて遊技を行う。一方、特別遊技の終了後、１１回以内に「大当たり」に当選することができれば、特別遊技の終了後に、時短回数が１００回に設定され、以後、特別遊技の終了後、１００回以内に「大当たり」に当選し続ける限り、特別遊技の終了後に時短回数が１００回に設定され続けることとなる。
【０２５１】
以上が、通常の遊技の流れとなるが、通常遊技状態において、普図抽選によって「当選」し、第２始動口２２が５．８秒開放され、この間に第２始動口２２に遊技球が入球して記憶された特２保留に基づいて「大当たり」に当選する場合もある。この場合には、特別遊技の終了後に、最初から時短回数が１００回に設定される。つまり、通常、最初に時短回数として１００回が設定されるためには、特別遊技の終了後、１１回以内に「大当たり」に当選しなければならないところ、こうした回数の制限を受けることなく、最初から時短回数が１００回に設定されることとなる。
【０２５２】
このように、特２保留に基づいて「大当たり」に当選した場合には、「大当たり」に当選したときの遊技状態とは無関係に、特別遊技の終了後に高確率遊技状態および時短遊技状態に設定され、かつ、高確回数が１１回に、時短回数が１００回に設定されることとなる。そこで、本実施形態では、遊技状態が通常遊技状態（低確率遊技状態であって、かつ、非時短遊技状態）に設定されているときに、特２保留に基づいて導出された大当たりの抽選結果についても、特殊変動パターンの変動演出によって報知することとしている。これにより、通常遊技状態において特２保留に基づく変動演出が実行された場合に、当該変動演出において「大当たり」の当選が報知された際に付与される遊技利益の内容を、遊技者に明確に認識させることが可能となる。
【０２５３】
図３８（ａ）は、前半変動演出決定テーブルを説明する図であり、図３８（ｂ）は、後半変動演出決定テーブルを説明する図である。本実施形態では、変動モード番号（変動モードコマンド）に基づいて前半の変動演出の態様が決定され、変動パターン番号（変動パターンコマンド）に基づいて後半の変動演出の態様が決定される。具体的には、リーチ変動パターンの変動演出においては、演出図柄４０ａ、４０ｂ、４０ｃがリーチ態様になるまで、より詳細には、リーチ発展演出（動画）が行われるまでの変動演出の態様（演出表示部５０ａに表示される画像パターン）が、変動モード番号（変動モードコマンド）に基づいて決定される。
【０２５４】
また、演出図柄４０ａ、４０ｂ、４０ｃがリーチ態様になった後の、リーチ発展演出における変動演出の態様（演出表示部５０ａに表示される動画）が、変動パターン番号（変動パターンコマンド）に基づいて決定される。したがって、例えば、図３５に示すリーチ変動パターンの変動演出においては、図３５（ａ）〜図３５（ｄ）に示す変動演出の態様（画像パターン）が変動モード番号（変動モードコマンド）に基づいて決定されており、図３５（ｅ）に示す変動演出の態様（動画）が変動パターン番号（変動パターンコマンド）に基づいて決定されている。
【０２５５】
なお、リーチなし変動パターンの変動演出は、前半の変動演出が実行されないことを示す変動モード番号（変動モードコマンド）と、所定の変動パターン番号（変動パターンコマンド）とが決定された場合に実行される。例えば、前半の変動演出が実行されないことを示す「００Ｈ」の変動モード番号に対応する変動モードコマンドを受信すると、副制御基板２００では、必ず、前半の変動演出の態様として「なし」が決定される。また、同時に受信した変動パターンコマンドに基づいて、開始から終了までの変動演出の態様が決定される。したがって、図３４に示す変動演出の態様（画像パターン）は、変動パターン番号（変動パターンコマンド）に基づいて決定されることとなる。
【０２５６】
図３８（ａ）に示すように、副制御基板２００のサブＲＯＭ２００ｂには、受信し得る変動モードコマンド（変動モード番号）のそれぞれに、前半の変動演出の態様が対応付けられた前半変動演出決定テーブルが記憶されている。副制御基板２００では、変動モードコマンドを受信すると、０〜２４９の範囲から１の演出乱数を取得するとともに、前半変動演出決定テーブルを参照して、当該取得した演出乱数および変動モードコマンド（変動モード番号）に基づいて、前半の変動演出の態様が決定される。ここで、前半の変動演出の態様のうち「なし」は、前半の変動演出を実行しないことを示しており、この「なし」が決定された場合には、後述する変動パターンコマンドに基づいて決定される後半の変動演出のみが実行されることとなる。
【０２５７】
また、図３６において、前半の変動演出の態様における「パターン１〜３０」は、それぞれ、リーチ変動パターンの変動演出のうち、演出図柄４０ａ、４０ｂ、４０ｃがリーチ態様になるまでの、演出表示部５０ａに表示される画像パターンを示している。これらの画像パターンは、変動モード番号に対応付けられた特別図柄の変動表示の時間と一致するように予め設計されている。
【０２５８】
なお、図３８（ａ）において、変動モード番号と前半の変動演出の態様とが対応付けられた各選択領域に記された数字は、当該選択領域に割り振られた乱数の範囲、すなわち、当該選択領域の選択比率を示している。例えば、変動モード番号＝００Ｈに対応する変動モードコマンドを受信した場合には、前半の変動演出の態様として、必ず、「なし」が決定され、変動モード番号＝０１Ｈに対応する変動モードコマンドを受信した場合には、前半の変動演出の態様として、必ず、「パターン１」が決定されることとなる。
【０２５９】
したがって、演出表示部５０ａにおいて、リーチなし変動パターンの変動演出が実行される場合には、必ず、変動モード番号＝００Ｈに対応する変動モードコマンドを受信していることとなる。換言すれば、変動モード番号＝００Ｈに対応する変動モードコマンドを受信すると、必ず、演出表示部５０ａにおいて、リーチなし変動パターンの変動演出が実行されることとなる。これに対して、演出表示部５０ａにおいて、リーチ変動パターンの変動演出が実行される場合には、必ず、変動モード番号＝００Ｈ以外の変動モード番号に対応する変動モードコマンドを受信していることとなる。換言すれば、変動モード番号＝００Ｈに対応する変動モードコマンド以外の変動モードコマンドを受信すると、必ず、演出表示部５０ａにおいて、リーチ変動パターンの変動演出が実行されることとなる。
【０２６０】
また、図３８（ｂ）に示すように、副制御基板２００のサブＲＯＭ２００ｂには、受信し得る変動パターンコマンド（変動パターン番号）のそれぞれに、後半の変動演出の態様が対応付けられた後半変動演出決定テーブルが記憶されている。副制御基板２００では、変動パターンコマンドを受信すると、０〜２４９の範囲から１の演出乱数を取得するとともに、後半変動演出決定テーブルを参照して、当該取得した演出乱数および変動パターンコマンド（変動パターン番号）に基づいて、後半の変動演出の態様が決定される。
【０２６１】
なお、図３８（ｂ）において、変動パターン番号と後半の変動演出の態様とが対応付けられた各選択領域に記された数字は、上記と同様、当該選択領域に割り振られた乱数の範囲、すなわち、当該選択領域の選択比率を示している。例えば、変動パターン番号＝Ａ０Ｈに対応する変動パターンコマンドを受信した場合には、後半の変動演出の態様として、必ず、「パターンＸ」が決定され、変動パターン番号＝Ｂ０Ｈに対応する変動パターンコマンドを受信した場合には、後半の変動演出の態様として、必ず、「パターンＹ」が決定されることとなる。ここで、「パターンＸ」は、図３６（ａ）および図３６（ｃ）に示す、ハズレ時用の特殊変動パターンを示すものであり、「パターンＹ」は、図３６（ａ）および図３６（ｂ）に示す、大当たり時用の特殊変動パターンを示すものである。
【０２６２】
また、「ハズレ４ｓ」、「ハズレ８ｓ」、「ハズレ１２ｓ」の変動演出の態様は、演出図柄４０ａ、４０ｂ、４０ｃが、変動表示を開始してから、リーチ態様になることなく、それぞれ４秒、８秒、１２秒で、ハズレを報知する態様で停止表示するものである。したがって、主制御基板１００において、「００Ｈ」、「０１Ｈ」、「０２Ｈ」の変動パターン番号が決定された場合には、前半の変動演出の態様として「なし」が決定されるように、必ず、「００Ｈ」の変動モード番号（変動モードコマンド）が決定されるように設計されている。
【０２６３】
図３９は、主制御基板１００で決定される変動モード番号および変動パターン番号と、副制御基板２００で決定される変動演出の態様との対応関係を説明する図である。この図に示すように、高確率遊技状態であって、かつ、時短遊技状態に設定されているときに、特１保留または特２保留に基づいて「ハズレ」の抽選結果が導出された場合、主制御基板１００においては、必ず、変動モード番号として００Ｈが決定され、変動パターン番号としてＡ０Ｈが決定される（図６（ｅ）、図７（ｄ）、図９（ｂ）参照）。副制御基板２００においては、変動モード番号＝００Ｈに対応する変動モードコマンド、および、変動パターン番号＝Ａ０Ｈに対応する変動パターンコマンドを受信すると、上記の前半変動演出決定テーブルおよび後半変動演出決定テーブルに基づいて、必ず、変動演出の態様として「パターンＸ」、すなわち、ハズレ時の特殊変動パターンが決定される（図３８参照）。
【０２６４】
また、通常遊技状態（低確率遊技状態であって、かつ、非時短遊技状態）に設定されているときに、特２保留に基づいて「ハズレ」の抽選結果が導出された場合、主制御基板１００においては、必ず、変動モード番号として００Ｈが決定され、変動パターン番号としてＡ０Ｈが決定される（図６（ｄ）、図７（ｄ）、図９（ｂ）参照）。副制御基板２００においては、変動モード番号＝００Ｈに対応する変動モードコマンド、および、変動パターン番号＝Ａ０Ｈに対応する変動パターンコマンドを受信すると、上記の前半変動演出決定テーブルおよび後半変動演出決定テーブルに基づいて、必ず、変動演出の態様として「パターンＸ」、すなわち、ハズレ時の特殊変動パターンが決定される。
【０２６５】
一方、高確率遊技状態であって、かつ、時短遊技状態に設定されているときに、特１保留または特２保留に基づいて「大当たり」の抽選結果が導出された場合、主制御基板１００においては、必ず、変動モード番号として００Ｈが決定され、変動パターン番号としてＢ０Ｈが決定される（図８（ｃ）、図９（ｃ）参照）。副制御基板２００においては、変動モード番号＝００Ｈに対応する変動モードコマンド、および、変動パターン番号＝Ｂ０Ｈに対応する変動パターンコマンドを受信すると、上記の前半変動演出決定テーブルおよび後半変動演出決定テーブルに基づいて、必ず、変動演出の態様として「パターンＹ」、すなわち、大当たり時の特殊変動パターンが決定される（図３８参照）。
【０２６６】
また、通常遊技状態（低確率遊技状態であって、かつ、非時短遊技状態）に設定されているときに、特２保留に基づいて「大当たり」の抽選結果が導出された場合、主制御基板１００においては、必ず、変動モード番号として００Ｈが決定され、変動パターン番号としてＢ０Ｈが決定される（図８（ｂ）、図９（ｃ）参照）。副制御基板２００においては、変動モード番号＝００Ｈに対応する変動モードコマンド、および、変動パターン番号＝Ｂ０Ｈに対応する変動パターンコマンドを受信すると、上記の前半変動演出決定テーブルおよび後半変動演出決定テーブルに基づいて、必ず、変動演出の態様として「パターンＹ」、すなわち、大当たり時の特殊変動パターンが決定される。
【０２６７】
以下に、上記の変動演出を実行するための副制御基板２００における制御処理について説明する。
【０２６８】
（副制御基板２００のメイン処理）
図４０は、副制御基板２００のメイン処理を説明するフローチャートである。
【０２６９】
（ステップＳ１０００）
サブＣＰＵ２００ａは、電源投入に応じて、サブＲＯＭ２００ｂからメイン処理プログラムを読み込むとともに、サブＲＡＭ２００ｃに記憶されるフラグ等の初期化、設定処理を行う。
【０２７０】
（ステップＳ１００１）
次に、サブＣＰＵ２００ａは、各演出乱数を更新する処理を行うとともに、以後は、割込み処理が行われるまで当該ステップＳ１００１の処理を繰り返し行う。なお、演出乱数は複数種類設けられており、ここでは、それぞれの演出乱数が非同期的に更新されている。
【０２７１】
（副制御基板２００のタイマ割込処理）
図４１は、副制御基板２００のタイマ割込処理を説明するフローチャートである。副制御基板２００には、所定の周期（４ｍｓ）でクロックパルスを発生するリセット用クロックパルス発生回路（不図示）が設けられている。そして、このリセット用クロックパルス発生回路によるクロックパルスの発生により、サブＣＰＵ２００ａはタイマ割込処理プログラムを読み込んで当該タイマ割込処理を開始する。
【０２７２】
（ステップＳ１１００）
まず、サブＣＰＵ２００ａは、副制御基板２００で用いられる各種タイマカウンタの更新処理を行う。ここで、各種タイマカウンタは、特に断る場合を除き、当該副制御基板２００のタイマ割込処理の度に１ずつ減算され、０になると減算を停止する。
【０２７３】
（ステップＳ１２００）
次に、サブＣＰＵ２００ａは、サブＲＡＭ２００ｃの受信バッファに格納されているコマンドを解析するとともに、受信したコマンドに応じた種々の処理を行う。副制御基板２００においては、主制御基板１００からコマンドが送信されると、コマンド受信割込処理が行われ、主制御基板１００から送信されたコマンドが受信バッファに格納される。ここでは、コマンド受信割込処理によって受信バッファに格納されたコマンドを解析することとなる。
【０２７４】
（ステップＳ１３００）
次に、サブＣＰＵ２００ａは、サブＲＡＭ２００ｃの送信バッファにセットされているコマンドを画像制御基板２１０や電飾制御基板２２０へ送信し、タイマ割込処理を終了する。
【０２７５】
図４２は、上記コマンド解析処理のうち、変動モードコマンドを受信した際に実行される変動モードコマンド受信処理を説明するフローチャートである。上記したとおり、変動モードコマンド）は、主制御基板１００において、変動演出パターン決定処理のステップＳ４２１−８（図２４参照）でセットされた後、ステップＳ８００の出力制御処理（図１７参照）によって副制御基板２００に送信される。
【０２７６】
（ステップＳ１２１０−１）
変動モードコマンドを受信すると、まず、サブＣＰＵ２００ａは、上記ステップＳ１００１で更新された演出乱数を取得する。
【０２７７】
（ステップＳ１２１０−２）
次に、サブＣＰＵ２００ａは、前半変動演出決定テーブル（図３８（ａ））を参照し、受信した変動モードコマンドと、上記ステップＳ１２１０−１で取得した演出乱数とに基づいて、前半の変動演出の態様を決定する。
【０２７８】
（ステップＳ１２１０−３）
次に、サブＣＰＵ２００ａは、上記ステップＳ１２１０−２で決定した前半の変動演出の態様に対応する演出実行コマンドを送信バッファにセットする。ここでセットされた演出実行コマンドは、上記ステップＳ１３００において、画像制御基板２１０や電飾制御基板２２０へ送信されるとともに、画像制御基板２１０や電飾制御基板２２０において、受信した演出実行コマンドに対応する変動演出が実行されることとなる。
【０２７９】
図４３は、上記コマンド解析処理のうち、変動パターンコマンドを受信した場合に実行される変動パターンコマンド受信処理を説明するフローチャートである。上記したとおり、変動パターンコマンドは、主制御基板１００において、変動演出パターン決定処理のステップＳ４２１−１０（図２４参照）でセットされた後、ステップＳ８００の出力制御処理（図１７参照）によって副制御基板２００に送信される。なお、この変動パターンコマンドは、必ず、変動モードコマンドと同時に副制御基板２００に送信されており、副制御基板２００では、変動モードコマンド受信処理に続いて、当該変動パターンコマンド受信処理が実行されることとなる。
【０２８０】
（ステップＳ１２２０−１）
変動パターンコマンドを受信すると、まず、サブＣＰＵ２００ａは、上記ステップＳ１００１で更新された演出乱数を取得する。
【０２８１】
（ステップＳ１２２０−２）
次に、サブＣＰＵ２００ａは、後半変動演出決定テーブル（図３８（ｂ））を参照し、受信した変動パターンコマンドと、上記ステップＳ１２２０−１で取得した演出乱数とに基づいて、後半の変動演出の態様を決定する。
【０２８２】
（ステップＳ１２２０−３）
次に、サブＣＰＵ２００ａは、上記ステップＳ１２２０−２で決定した後半の変動演出の態様に対応する演出実行コマンドを送信バッファにセットする。ここでセットされた演出実行コマンドは、上記ステップＳ１３００において、画像制御基板２１０や電飾制御基板２２０へ送信されるとともに、画像制御基板２１０や電飾制御基板２２０において、受信した演出実行コマンドに対応する変動演出が実行されることとなる。
【０２８３】
以上のように、本実施形態によれば、高確率遊技状態であって、かつ、時短遊技状態に設定されているときに導出された大当たりの抽選結果を報知する各変動演出の態様が、特殊変動パターンとなり、また、遊技状態が通常遊技状態（低確率遊技状態であって、かつ、非時短遊技状態）に設定されているときに、特２保留に基づいて導出された大当たりの抽選結果を報知する変動演出の態様も、特殊変動パターンとなる。このように、遊技者に付与される遊技利益が同じ場合に、同じ特殊変動パターンの変動演出を実行するので、どのような遊技利益が付与されるのかを遊技者が認識し易く、演出効果や遊技の興趣を向上することができる。
【０２８４】
以上、添付図面を参照しながら本発明の好適な実施形態について説明したが、本発明はかかる実施形態に限定されないことは言うまでもない。当業者であれば、特許請求の範囲に記載された範疇において、各種の変更例または修正例に想到し得ることは明らかであり、それらについても当然に本発明の技術的範囲に属するものと了解される。
【０２８５】
例えば、上記実施形態においては、遊技の進行を制御する主制御基板１００と、主制御基板１００から送信されるコマンドに基づいて演出を実行制御する副制御基板２００とにおいて、上記のとおりに協働することで変動演出が実行されることとした。しかしながら、主制御基板１００および副制御基板２００において、上記の各機能をどのように分担するかは適宜設計することが可能である。
【０２８６】
また、上記実施形態では、大当たりの当選確率を異にする２つの遊技状態と、第２始動口２２への遊技球の入球容易性を異にする２つの遊技状態とを組み合わせた４つの遊技状態が設けられているが、遊技状態の内容や種類はこれに限定されるものではない。いずれにしても、互いに異なる遊技進行条件が対応付けられた複数の遊技状態の中からいずれかの遊技状態に設定され、当該設定中の遊技状態に対応する遊技進行条件に基づいて遊技が進行制御される遊技機であって、本発明の目的を実現可能な範囲内で、遊技状態の具体的な内容や継続回数等を設計可能である。
【０２８７】
また、上記実施形態では、大当たり決定乱数および当たり図柄決定乱数の２つの乱数によって、特別遊技の実行可否を決定する特別遊技決定用乱数値を構成することとしたが、特別遊技の実行可否等は、１つの乱数で決定してもよいし、３つ以上の乱数で決定してもよい。
【０２８８】
また、上記実施形態では、リーチグループ決定乱数、リーチモードＡ決定乱数、変動パターン乱数の３つの乱数によって、特別遊技の実行可否を報知する変動演出の態様を決定するための変動演出用乱数値を構成することとしたが、変動演出の態様は、いくつの乱数で決定してもよい。また、上記実施形態では、上記３つの乱数で構成される変動演出用乱数値を主制御基板１００で取得するとともに、さらに、副制御基板２００で演出乱数を取得して、１回の変動演出の態様を決定することとしたが、例えば、主制御基板１００で取得する変動演出用乱数値によってのみ、変動演出の態様を決定することとしてもよい。
【０２８９】
また、上記実施形態では、特別遊技が実行されておらず、特別図柄の変動表示も行われていない状態で、特１保留または特２保留が記憶されていることを始動条件の成立として大当たりの抽選を行うこととした。しかしながら、大当たりの抽選を行うための始動条件はこれに限らない。例えば、複数の保留が記憶されている場合に、同時に特別図柄の変動表示を行ってもよく、この場合には、特別遊技が実行されていない状態で特１保留または特２保留が記憶されていることが始動条件となる。なお、上記実施形態では、第１始動口２０および第２始動口２２の２つの始動口を設けることとしたが、始動口（始動領域）の数は特に限定されるものではない。
【０２９０】
また、上記実施形態における変動演出は一例に過ぎず、適宜設計可能であることは言うまでもない。
【０２９１】
また、上記実施形態では、変動モード番号によって前半の変動演出の態様が決定され、変動パターン番号によって後半の変動演出の態様が決定されるといった具合に、２以上の要素に基づいて、１回の変動演出の態様を決定することとした。しかしながら、１回の変動演出の態様は、１の要素に基づいて決定してもよいし、３以上の要素に基づいて決定してもよい。
【０２９２】
また、上記実施形態では、特別遊技の終了後に、必ず、高確率遊技状態および時短遊技状態に設定されることとした。また、特２保留に基づいて実行された特別遊技の終了後に時短遊技状態に設定された場合、および、高確率遊技状態および時短遊技状態に設定されているときに特１保留に基づいて大当たり抽選結果が導出されるとともに、特別遊技の終了後に特定遊技状態に設定された場合に、１００回（第１の特定回数）の「ハズレ」の抽選結果が導出されると、非時短遊技状態に遊技状態が変更される。一方、低確率遊技状態および非時短遊技状態に設定されているときに特１保留に基づいて大当たり抽選結果が導出されるとともに、特別遊技の終了後に時短遊技状態に設定された場合には、第１の特定回数よりも少ない１１回（第２の特定回数）の「ハズレ」の抽選結果が導出されると、非時短遊技状態に遊技状態が変更されることとした。
【０２９３】
しかしながら、例えば、非時短遊技状態において、特１保留に基づいて「大当たり」に当選した場合には、高確率遊技状態および非時短遊技状態に設定することとしてもよい。より詳細には、特別遊技が特２保留に基づいて実行された場合、および、高確率遊技状態に設定されているときに、特１保留に基づいて特別遊技が実行された場合には、当該特別遊技の終了後の遊技状態として高確率遊技状態および時短遊技状態に設定し、低確率遊技状態および非時短遊技状態に設定されているときに、特１保留に基づいて特別遊技が実行された場合には、当該特別遊技の終了後の遊技状態として高確率遊技状態および非時短遊技状態に設定する。そして、高確率遊技状態および時短遊技状態に設定されているときに、特１保留および特２保留に基づいて導出された抽選結果を報知するための変動演出の態様と、低確率遊技状態および非時短遊技状態に設定されているときに、特２保留に基づいて導出された抽選結果を報知するための変動演出の態様と、を同一態様に決定するようにしてもよい。この場合であっても、上記実施形態と同様の作用効果を実現可能である。
【０２９４】
なお、上記実施形態において、可動片２２ｂおよび始動口開閉ソレノイド２２ｃによって、本発明の始動可変入賞装置が構成される。
また、上記実施形態において、図２９に示す処理を実行するメインＣＰＵ１００ａが本発明の開閉制御手段に相当する。
また、上記実施形態において、図２３のステップＳ４２０−３の処理を実行するメインＣＰＵ１００ａが、本発明の抽選手段に相当する。
また、上記実施形態において、図４（ａ）の大当たり決定乱数判定テーブル１によって規定される条件が本発明の低確判定条件に相当し、図４（ｂ）の大当たり決定乱数判定テーブル２によって規定される条件が本発明の高確判定条件に相当する。
【０２９５】
また、上記実施形態において、図２４に示す処理を実行するメインＣＰＵ１００ａ、および、図４２のステップＳ１２１０−２および図４３のステップＳ１２２０−２に示す処理を実行するサブＣＰＵ２００ａが、本発明の変動演出態様決定手段に相当する。
また、上記実施形態において、図４２のステップＳ１２１０−３および図４３のステップＳ１２２０−３の処理を実行するサブＣＰＵ２００ａが本発明の変動演出実行手段に相当する。
また、上記実施形態において、図２７に示す処理を実行するメインＣＰＵ１００ａが本発明の特別遊技実行手段に相当する。
また、上記実施形態において、図２８のステップＳ４６０−１の処理を実行するメインＣＰＵ１００ａが、本発明の遊技状態設定手段に相当する。
また、上記実施形態において、図２６のステップＳ４４０−３およびステップＳ４４０−４の処理を実行するメインＣＰＵ１００ａが、本発明の遊技状態変更手段に相当する。
【符号の説明】
【０２９６】
１  遊技機
８  遊技盤
１６  遊技領域
２０  第１始動口（第１始動領域）
２２  第２始動口（第２始動領域）
２２ｂ  可動片
２２ｃ  始動口開閉ソレノイド
１００  主制御基板
１００ａ  メインＣＰＵ
１００ｂ  メインＲＯＭ
１００ｃ  メインＲＡＭ
２００  副制御基板
２００ａ  サブＣＰＵ
２００ｂ  サブＲＯＭ
２００ｃ  サブＲＡＭ
【図１】
2014039737.tif 000003
【図２】
2014039737.tif 000004
【図３】
2014039737.tif 000005
【図４】
2014039737.tif 000006
【図５】
2014039737.tif 000007
【図６】
2014039737.tif 000008
【図７】
2014039737.tif 000009
【図８】
2014039737.tif 000010
【図９】
2014039737.tif 000011
【図１０】
2014039737.tif 000012
【図１１】
2014039737.tif 000013
【図１２】
2014039737.tif 000014
【図１３】
2014039737.tif 000015
【図１４】
2014039737.tif 000016
【図１５】
2014039737.tif 000017
【図１６】
2014039737.tif 000018
【図１７】
2014039737.tif 000019
【図１８】
2014039737.tif 000020
【図１９】
2014039737.tif 000021
【図２０】
2014039737.tif 000022
【図２１】
2014039737.tif 000023
【図２２】
2014039737.tif 000024
【図２３】
2014039737.tif 000025
【図２４】
2014039737.tif 000026
【図２５】
2014039737.tif 000027
【図２６】
2014039737.tif 000028
【図２７】
2014039737.tif 000029
【図２８】
2014039737.tif 000030
【図２９】
2014039737.tif 000031
【図３０】
2014039737.tif 000032
【図３１】
2014039737.tif 000033
【図３２】
2014039737.tif 000034
【図３３】
2014039737.tif 000035
【図３４】
2014039737.tif 000036
【図３５】
2014039737.tif 000037
【図３６】
2014039737.tif 000038
【図３７】
2014039737.tif 000039
【図３８】
2014039737.tif 000040
【図３９】
2014039737.tif 000041
【図４０】
2014039737.tif 000042
【図４１】
2014039737.tif 000043
【図４２】
2014039737.tif 000044
【図４３】
2014039737.tif 000045